(57)【特許請求の範囲】
【請求項１】
加熱による焼灼によって腎交感神経シグナルを遮断することにより動脈性高血圧を処置するインプラントであって、ピックアップコイルと、ヒータコイルと、内蔵温度制御式スイッチとを備える電気回路を備え、前記スイッチは閉位置及び中断位置を含み、前記ピックアップコイルは、該ピックアップコイルを通る時変磁束の影響下で、該ピックアップコイルが接続される前記電気回路の少なくとも一部を通る電流を誘導するように構成され、前記ヒータコイルは、腎動脈血管の内壁上の実質的にらせん状のシグナル遮断損傷を得るために、腎動脈血管内の実質的にらせん状の焼灼領域に対するように構成され、前記スイッチは、該インプラントにおける又は該インプラント付近の温度が所定の焼灼温度より高いときに、前記閉位置から前記中断位置（開位置）に変化するように構成される、加熱による焼灼によって腎交感神経シグナルを遮断することにより動脈性高血圧を処置するインプラント。
【請求項２】
前記実質的にらせん状のシグナル遮断損傷が、実質的にらせん状であり、連続的なシグナル遮断損傷である、請求項１に記載のインプラント。
【請求項３】
a.前記スイッチが、バイメタル構成要素及び／又はサーミスタを含み、及び／又は
b.前記スイッチが、温度センサ、及び該スイッチを中断するために該温度センサ及びスイッチに接続されるサーモスタットを含む、
請求項１又は２に記載のインプラント。
【請求項４】
前記インプラントは少なくとも部分的に自己拡張型である、請求項１〜３のいずれか一に記載のインプラント。
【請求項５】
腎動脈に埋め込むために円錐形の形状を有する、請求項１〜４のいずれか一に記載のインプラント。
【請求項６】
前記ピックアップコイルは１５ｍｍより長く、７５ｍｍより短い長さを含む、請求項１〜５のいずれか一項に記載のインプラント。
【請求項７】
前記ピックアップコイルは、前記インプラントが拡張位置にあるとき、１０ｍｍより大きく、６０ｍｍより小さい最大直径を含む、請求項１〜６のいずれか一項に記載のインプラント。
【請求項８】
前記ヒータコイルは３ｍｍより長く、２５ｍｍより短い長さを含む、請求項１〜７のいずれか一項に記載のインプラント。
【請求項９】
前記ヒータコイルは、前記インプラントが拡張位置にあるとき、１０ｍｍより大きく、７０ｍｍより小さい最大直径を含む、請求項１〜８のいずれか一項に記載のインプラント。
【請求項１０】
前記インプラントは前記ピックアップコイルと前記ヒータコイルとの間に或る距離を含み、前記距離は５ｍｍより長く、５０ｍｍより短い、請求項１〜９のいずれか一項に記載のインプラント。
【請求項１１】
加熱による焼灼によって腎交感神経シグナルを遮断することにより動脈性高血圧を処置するシステムであって、
請求項１〜１０のいずれか一項に記載の１つ又は複数のインプラントと、
前記インプラント装置の位置において時変磁場を生成する磁場発生器と、
を備える、加熱による焼灼によって腎交感神経シグナルを遮断することにより動脈性高血圧を処置するシステム。
【請求項１２】
前記磁場発生器は、該発生器によって生成された前記磁場の向きを変更する方向付け手段を備える、請求項１１に記載のシステム。
【請求項１３】
請求項１〜１０のいずれか一項に記載のインプラントを２つ備える、請求項１１又は１２に記載のシステム。
【発明の詳細な説明】
【技術分野】
【０００１】
本発明は、焼灼手段によって体の血管を治療する技術分野に関連し、より具体的には、動脈性高血圧等の病態の治療に関連する。とりわけ、本発明は、血管壁を内部から焼灼するシステム、装置及び方法に関し、より具体的には、インプラント装置、及び内部からの１又は複数の腎動脈壁の焼灼、好ましくは貫壁性の焼灼に関する。
【背景技術】
【０００２】
本発明は、１又は複数のインプラント装置及び励起装置のシステム、インプラント装置、並びに動脈構造及び静脈構造の治療のための該システム及び１又は複数の装置の使用方法に関する。
【０００３】
また、本発明は、インプラント装置、インプラント装置及び外部励起手段のシステム、並びに血管内に１又は複数のインプラント装置を設置し、後にこれらのインプラント装置を、好ましくは同時に加熱し、それによってインプラント装置から血管内壁へ熱を輸送する方法に関する。
【０００４】
本発明の一般概念は、血管内に１又は複数のインプラント装置を埋め込むことであり、上記インプラント装置は焼灼が必要と判断される位置において血管内壁と接触する。従来技術とは異なり焼灼は直ちには行われないが、インプラント装置から空間的に分離され（即ち接触していない）、焼灼温度にまでインプラント装置の焼灼領域の温度を上昇させるためにインプラント装置に遠隔的にエネルギを供給することが可能な外部エネルギ供給手段によって、１又は複数のインプラント装置を規定の温度にまで加熱することができる。好ましい実施の形態において、インプラント装置は、磁気ヒステリシスを示し得る材料から製造される部位、及び埋め込まれた装置の位置において時変磁場を作り出すことが可能な外部エネルギ供給手段を備え、それによって磁気ヒステリシス現象を通してインプラントを加熱する。インプラント装置が到達し得る最高温度は、使用される磁性材料のキュリー温度又はネール温度によって制限され、その温度を超えると磁気ヒステリシス効果は消失する。このキュリー温度又はネール温度は、例えば使用される磁性合金の組成を変更することによって、必要な焼灼温度にまで正確に操作することができる。他の実施の形態において、非磁性材料を使用してもよく、さらに十分な温度制御手段を提供するために絶縁材料を使用してもよい。１つの実施の形態において、インプラント装置の加熱は、ジュール加熱若しくは直接加熱、又はその他の加熱システムによって行われる。
【０００５】
本発明によるインプラント装置は、したがって、動脈構造及び静脈構造内に使用され得る。
【０００６】
実際、本発明によるシステム、装置及び方法は、腎動脈全体を通した焼灼の実施、腎動脈を取り囲む神経系の焼灼の実施、腎交感神経の焼灼の実施、より具体的には腎動脈を取り囲む外膜における腎交感神経の焼灼の実施、腎求心性神経及び／又は腎遠心性神経の焼灼の実施にも使用され得る。
【０００７】
この装置を腎動脈において使用することができ、この場合、該装置、システム及び方法は、動脈性高血圧、ノルエピネフリン溢出、心不全、高血圧に関連する標的臓器障害等の治療に使用され得る。
【０００８】
この装置を腎動脈において使用することができ、この場合、該装置、システム及び方法は、動脈性高血圧、より具体的には軽症、中等症及び／又は重症高血圧、仮面高血圧、白衣高血圧、逆ディッピング型（reverse dipping）高血圧、非ディッピング型（non-dipping）高血圧、ディッピング型（dipping）高血圧及びニューロアドレナジック（neuroadrenergic）高血圧の治療に使用され得るが、これらに限定されない。
【０００９】
また、本明細書に記載される装置、システム及び方法は、例えば練習目的若しくは教育目的で、ヒト若しくは動物の死体、又はヒト若しくは動物の身体モデルにおいて使用されてもよく、インプラント装置の加熱は血管内壁上に焼灼の跡を残すことから、これをインプラント装置が正しく設置され、十分な焼灼が行われたかどうかの確認に使用することができる。
【００１０】
本明細書の記載は、腎動脈内における装置の適用を中心とする。
【００１１】
当業者であれば、本発明の装置、システム及び方法を解釈することができ、他の部位で使用される場合にはそれらに具体的な機能、部品、又はステップを設けることができる。
【００１２】
ヒトの健康は、時と共に変化する多数の疾病の脅威を受ける。医学は、継続的に革新し、これらの変化に適合することが必要とされる。
【００１３】
特許文献１は、自己拡張型ステントを送達するカテーテル挿入装置を開示する。この装置は、内部シャフト及び内部シャフトに対して可動性の外部シャフトを有する。自己拡張型ステントを、その遠位末端に隣接する内部シャフト上に受け取る。テーパーチップ（tapered tip）は内部シャフトの遠位末端上に配置され、送達装置からそれを通って伸長するガイドワイヤへの円滑な移行を形成する。ハンドルは、施術者が自力でステントを展開することを可能とする。ステントは、ステントの送達のために第一放射状形態にセグメントを有していてもよく、又は第一放射状形態に複数のセグメントを有し、かつ第二放射状位置に複数の第二セグメントを有していてもよい。
【００１４】
特許文献２は、共振回路を有するステントを用いた、肺静脈の焼灼によるＡＦを治療する方法及びシステムを開示している。ステントは、焼灼位置に埋め込まれ、その後、外部エネルギ供給手段、とりわけステントの共振回路の共振周波数による電磁場によって作動され得る。この出願は、ステントの少なくとも一部に磁気ヒステリシスを示す材料を使用する可能性、及びステントの作動にヒステリシス効果を使用する可能性については開示していない。そのため、この場合もステントの焼灼温度を制御することは容易ではない。ステントの電気抵抗及びステントの共振回路、ステントが置かれた位置のＲＦ場の強度、ステントと血管壁間の接触熱の質等、数多くの要因に依存してステントの温度が制御されないことから、ステントに送達されるエネルギを非常に厳密に監視しなくてはならない。
【００１５】
特許文献３は、外部エネルギ供給手段を用いて埋め込まれたステントを或る特定の温度まで加熱する装置及び方法を開示している。ステントは、磁気ヒステリシス効果によって加熱され得る。しかしながら、この特許出願においては、例えば赤外線カメラによってステントの温度を計測し、それに応じて外部エネルギ供給手段によって供給されるエネルギを変更する外部制御システムによって温度が制御されている。そのため、焼灼に使用されるシステムは、明確には開示されていない。さらに、温度は、例えばステントの材料特性によってではなく、外部フィードバックシステムによって制御されている。加えて、特許文献３は、ステント又はインプラントが、少なくとも血管内壁の実質的に完全な環状バンドの範囲を定めてもよいことは開示していない。
【００１６】
特許文献４は、損傷を受けた体管腔を処置する埋め込み式ステントを開示しており、その埋め込み式ステントは、本体の全長に沿って均一に、本体の全体にわたって分布する幾つかの相互接続される微小孔を有する管状ステント本体を備える。管状ステント本体は、ステント本体の全長に沿って実質的に均一に、ステント本体の全体にわたって分布する幾つかの相互接続される微小孔を有し、幾つかの微小孔は、ステント本体の全体にわたって細胞を浸潤する組織化された成長パターンを助長するように小さく、ステント本体は、それ以外には、微小孔より大きな孔は実質的になく、ステント本体は、線維状の３次元不織マトリックスから形成される。その特許は、ステントにエネルギを経皮的に印加し、それにより、ステントの温度を体温より高い温度（好ましくは、３８℃〜４９℃）まで上昇させるエネルギ源に対して間隔を置いて並置されるステントを備えるステントシステムも開示する。その特許は、ステントを備え、相互接続される微小孔内で成長する生細胞を更に備えるアクティブステントを更に開示する。体管腔を通して流体の流れを測定する方法が開示され、その方法は、ステントを、その中を流体が流れる体管腔に埋め込むことと、埋め込まれたステントに経皮的にエネルギを印加し、その温度を体温より高く上昇させることと、エネルギの印加を停止して、温度センサのうちの少なくとも１つからの出力を経皮的に監視し、少なくとも１つのセンサのそれぞれにおいて冷却速度を求めることと、少なくとも１つのセンサにおいて冷却速度からステントに流れる流体の流量を得ることとを伴う。また、開示されるのは、被検者の管状体器官を処置する方法であり、その方法は、ステント内の生細胞の内殖を助長することと、生細胞の内殖を助長する前に、又は助長した後に、管状器官を処置するように、ステントを被検者の管状器官の中に埋め込むこととを伴い、ステント本体は線維状の３次元不織マトリックスから形成される。
【００１７】
特許文献４において、ステントの温度は、少なくとも部分的に外部にある制御システムによって制御することができる。この場合、単数又は複数の温度センサが、測定された温度を上記外部制御システムに送信し、それにより、外部制御システムが外部エネルギ源を制御する。さらに、この特許では、ステントの温度は、或るキュリー温度を有する材料を使用して制御することができ、ステントの加熱はヒステリシス加熱を介して行われる。ヒステリシス加熱のメカニズムはキュリー温度未満でのみ機能するので、これにより、ステントの温度がキュリー温度に制限される。温度制御機構、すなわち、外部制御システム及び磁性材料の使用はいずれも、それぞれの短所を有する。
【００１８】
外部制御システムを備える機構によれば、温度センサからの温度を受信するように特に構成された専用の外部エネルギ源を必要とすることになる。さらに、そのようなシステムでは、エネルギ源は、大抵の場合に、無線周波数電磁場であり、インプラントを所望の温度に維持するために、強度、そして場合によっては周波数も制御する必要がある。
【００１９】
ヒステリシス加熱のメカニズムは、幾つかの難点を有し、特に最適なキュリー温度を有する適当な合金を見つけるのに難点がある。この最適な温度は場合によって異なり得るので、異なる温度に対して異なる合金を見つけることが必要な場合がある。
【００２０】
内部からの血管壁周辺での実質的に完全な環状バンド又はらせん状バンドの焼灼のために改良された装置、システム及び方法が、当該技術において依然として必要とされている。本発明は、例えば、内部から血管壁周辺に実質的に完全な環状バンド又はらせん状バンドに対して焼灼が実施されること、焼灼そのものを外部手段により、必要に応じて複数回誘発することができること、焼灼温度が良好に制御され、治療において制御されていない因子又は複雑な監視システムに依存しないこと等を確実にするという、上述の問題のうち少なくとも幾つかを解決することを目的とする。
【先行技術文献】
【特許文献】
【００２１】
【特許文献１】米国特許出願公開第２００５／００２７３０６号
【特許文献２】米国特許出願公開第２００５／０１０１９４６号
【特許文献３】欧州特許出願公開第１０３６５７４号
【特許文献４】米国特許第７，２３５，０９６号
【発明の概要】
【発明が解決しようとする課題】
【００２２】
本発明は内蔵温度制御及び／又は測定手段を備えるインプラントを提供することによって、それらの問題を克服しようと試みており、その制御手段は、インプラントの少なくとも一部の温度を所望の温度以下に維持することができる。本発明は、インプラントを所望の最大温度まで加熱するシステム及び方法も提供する。
【課題を解決するための手段】
【００２３】
本発明は、１又は複数のインプラント装置及び励起装置のシステム、インプラント装置並びに動脈構造及び静脈構造の治療のための該システム及び１又は複数の装置の使用方法を提供する。また、本発明は、インプラント装置、インプラント装置及び外部励起手段のシステム、並びに血管内に１又は複数のインプラント装置を設置し、その後これらのインプラント装置を好ましくは同時に加熱し、それによってインプラント装置からの熱を血管内壁に輸送する方法に関する。
【００２４】
第１の態様では、本発明は、内部から少なくとも一部の血管壁を焼灼するシステムであって、
上記血管内へ埋め込まれ、展開されるように適合された自己拡張型インプラント装置であって、上記インプラントがその長さの少なくとも一部分に沿って焼灼領域を備え、上記焼灼領域が上記血管と表面接触するように適合され、上記焼灼領域が少なくとも１つの実質的に完全な環状バンド又はらせん状バンドの範囲を定め、該インプラントへのエネルギ印加による上記血管内のシグナル遮断経路の焼灼に有効である、自己拡張型インプラント装置と、
該インプラント装置から空間的に分離され、該インプラント装置の焼灼領域の温度を焼灼温度にまで上昇させるために該インプラント装置にエネルギを供給することが可能な外部エネルギ供給手段と、
を備えた、システムを提供する。
【００２５】
好ましい実施の形態では、このシステムは２以上のインプラント装置を備え、各インプラント装置は１又は複数の血管内に埋め込まれ、展開されるように適合されている。これらのインプラント装置は、それぞれ、１又は複数の腎動脈内に埋め込まれ、展開されるように適合され得る。
【００２６】
特に好ましい実施の形態では、このシステムの１又は複数のインプラント装置は、第一直径を有する近位部分、及び第一直径未満であって上記インプラントを１又は複数の血管内に固定することが十分可能な第二直径を有する遠位部分を備える。
【００２７】
好ましい実施の形態では、このシステムの１又は複数のインプラント装置の少なくとも一部は、強磁性材料、フェリ磁性材料、又は反強磁性材料等の磁気ヒステリシスを示す少なくとも１種の材料から製造される。さらに、外部エネルギ供給手段は、１又は複数のインプラント装置の位置において時変磁場を作り出してもよい。より好ましい実施の形態では、この時変磁場は、時変電流を送る電気コイルにより作り出される。
【００２８】
他の実施の形態では、このシステムは、
１又は複数のインプラント装置を、１又は複数の血管の所望の位置又はその近傍に輸送及び送達するために好適なシースと、
１又は複数のインプラントを伴うシースを１又は複数の血管の所望の位置へと順次ガイドするために好適なガイドワイヤと、
も備えている。
【００２９】
第２の態様では、本発明は、血管内へ埋め込まれ、展開されるように適合された自己拡張型インプラント装置であって、上記インプラントがその長さの少なくとも一部分に沿って焼灼領域を備え、該焼灼領域が血管と表面接触するように適合され、該焼灼領域が少なくとも１つの実質的に完全な環状バンド又はらせん状バンドの範囲を定め、該インプラントへのエネルギ印加による血管内のシグナル遮断経路の焼灼に有効であり、上記焼灼領域が、強磁性材料、フェリ磁性材料、又は反強磁性材料等の磁気ヒステリシスを示す少なくとも１種の材料を含む、自己拡張型インプラント装置を提供する。
【００３０】
類似の態様では、本発明は、血管内へ埋め込まれ、展開されるように適合された、好ましくは自己拡張型のインプラント装置であって、上記インプラントがその長さの少なくとも一部分に沿って焼灼領域を備え、該焼灼領域が血管と表面接触し、かつ少なくとも１つの実質的に完全な環状バンド又はらせん状のバンドの範囲を定めるように適合されており、該インプラント装置へのエネルギ印加による血管内のシグナル遮断経路の焼灼に上記焼灼領域が有効であり、好ましくは上記焼灼領域が、強磁性材料、フェリ磁性材料、又は反強磁性材料等の磁気ヒステリシスを示す少なくとも１種の材料を含む、自己拡張型インプラント装置を提供する。
【００３１】
別の類似の態様では、本発明は、ピックアップコイルと、ヒータコイルと、閉位置及び中断位置を含む温度制御式スイッチとを備える電気回路を備えるインプラントを提供する。そのスイッチは、バイメタル構成要素、及び／又はＰＴＣサーミスタのようなサーミスタを備えることが好ましく、及び／又はそのスイッチは、温度センサと、センサが所定の温度を測定するときに、スイッチを中断し、それゆえ、電気回路を中断するためにセンサ及びスイッチに接続される、好ましくはデジタル式のサーモスタットとを備えることが好ましい。
【００３２】
好ましい実施の形態では、このインプラント装置は、腎動脈に適合された形状を備える。より好ましい実施の形態では、上記インプラント装置の焼灼領域は、例えば焼灼の結果、腎交感神経シグナルを遮断することによって腎高血圧症を治療するため、上記腎動脈と表面接触し、少なくとも１つの実質的にらせん状のバンドの範囲を定めるように適合される。
【００３３】
特に好ましい実施の形態では、このインプラント装置の部品は、磁気ヒステリシスを示し、異なるキュリー温度又はネール温度を有する２以上の材料から製造される。
【００３４】
より好ましい実施の形態では、このインプラント装置は、長期間の埋め込みに好適である。他の好ましい実施の形態では、このインプラント装置は、生体吸収性インプラント装置、又は１若しくは又は複数の焼灼の後に例えば蒸発によって消滅するインプラントである。さらに、このインプラント装置は、第一直径を有する近位部分、及び第一直径未満であって上記インプラント装置を血管内に固定することが十分可能な第二直径を有する遠位部分を備えてもよい。このインプラント装置は、上記インプラント装置の近位部分若しくは遠位部分に、又はその近傍に定着手段を更に備えてもよく、上記定着手段は血管内壁に比して同じ位置又はその近傍にこの装置を保持するために好適である。
【００３５】
好ましい実施の形態では、上記インプラント装置が埋め込まれた際に患者の血液と接触し得る上記インプラント装置の部位は、このインプラント装置の励起の間、血液が加熱又は過熱されないように、このインプラント装置のその他の部分から熱的に隔離される。このような部分は高い隔離性を有する内腔コーティング又は層を備え得る。
【００３６】
好ましい実施の形態では、上記インプラントは、体温が活性化を引き起こすように、活性化温度が３５℃〜３７℃の熱活性コーティングを備える。代替的な好ましい実施の形態では、上記インプラントは、上記外部エネルギ供給手段によって上記焼灼領域が加熱された場合のみ活性化が引き起こされるように、活性化温度が４５℃より高い熱活性コーティングを備える。
【００３７】
好ましい実施の形態では、このインプラント装置は、インプラント装置の目的に適した熱特性及び／又は弾性特性を有する他の材料によって囲まれた或る特定のキュリー温度を有する材料のコア領域を備える。
【００３８】
１つの実施の形態では、このインプラントは、制限された壊死性の損傷及び／又は神経毒性による損傷を生み出すことが可能な物質を備える。
【００３９】
好ましい実施の形態では、このインプラント装置は、１又は複数の物質で満たされ、このインプラントが加熱された場合に開放する腔を備える。より好ましい実施の形態では、これらの物質は（例えば、二成分性神経毒を送達するため）患者の体内又は血管壁へと放出される前に混合される。
【００４０】
他の好ましい実施の形態では、これらの物質は下記物質の１又は複数の選択又は組成物である：
エタノール；
テトロドトキシン及びバトラコトシキン；
モーロトキシン、アジトキシン、カリブドトキシン、マーガトキシン、スロトキシン、スキラトキシン又はヘフトキシン；
カルシセプチン、タイカトキシン、カルシクルジン、又はＰｈＴｘ３；
ボツリヌストキシド；
サイトカラシンＤ、ラパマイシン、シロリムス、ゾタロリムス、エベロリムス、パクリタキセル；
グルタメート；
イソキノリン；
Ｎ−メチル−（Ｒ）−サルソリノール；
β−カルボリン誘導体。
【００４１】
更なる態様では、本発明は、１、２、３、４以上のインプラント装置（例えば５、６、７、８、９、１０以上の本発明によるインプラント装置）を備えたシステムを提供する。このシステムは、上記インプラント装置から空間的に分離され、焼灼温度までこのインプラント装置の焼灼領域の温度を上昇させるために上記インプラント装置にエネルギを供給することが可能な外部エネルギ供給手段、及び／又は１若しくは複数の血管内の所望の位置若しくはその近傍に１若しくは複数のインプラント装置を輸送及び送達するのに好適なシース、及び／又は１若しくは複数の血管内の所望の位置に１若しくは複数のインプラントを伴うシースを順次ガイドするために好適なガイドワイヤを備えることが好ましい。好ましい実施の形態では、このシステムは、１又は２の本発明によるインプラント装置を備え、各インプラント装置は対応する腎動脈に適合されている。
【００４２】
また、更なる態様では、本発明は、内部からの１又は複数の腎動脈壁上の実質的に完全な環状バンド又はらせん状バンドの焼灼による腎交感神経シグナルの遮断によって動脈性高血圧を伴う患者を治療する方法であって、
１又は複数のインプラント装置を、シース及びガイドワイヤによって１又は複数の腎動脈内に埋め込むステップであって、上記インプラント装置の各々がそれらの長さの少なくとも一部分に沿って焼灼領域を備え、上記焼灼領域が上記腎動脈と表面接触するように適合され、上記焼灼領域が少なくとも１つの実質的に完全な環状バンド又はらせん状バンドの範囲を定め、上記インプラント装置にエネルギを印加することによって上記腎動脈内のシグナル遮断経路を焼灼するのに有効である、ステップと、
シース及びガイドワイヤを引き戻すステップと、
後に、インプラント装置から空間的に分離された外部エネルギ供給手段によって１又は複数のインプラント装置の焼灼領域を加熱するステップと、
を含む、方法を提供する。
【００４３】
類似の態様では、本発明は、１又は２以上の血管内への埋め込みに好適な１又は２以上のインプラント装置を加熱する方法であって、
後にシース及びガイドワイヤによって上記血管内に上記インプラント装置を設置するステップであって、上記インプラント装置の各々がそれらの長さの少なくとも一部分に沿って焼灼領域を備え、上記焼灼領域が少なくとも１つの実質的に完全な環状バンド又は実質的にらせん状のバンドの範囲を定め、上記インプラント装置へのエネルギ印加による上記血管内のシグナル遮断経路の焼灼に上記インプラント装置が有効である、ステップと、
シース及びガイドワイヤを引き戻すステップと、
上記インプラント装置から空間的に分離された外部エネルギ供給手段によって、上記インプラント装置の焼灼領域を加熱するステップと、
を含み、
上記シース及びガイドワイヤが引き戻された後に上記加熱が行われ、上記インプラント装置の加熱が同時に行われることを特徴とする、方法を提供する。
【００４４】
この方法の好ましい実施の形態では、外部エネルギ供給手段によって１又は複数のインプラント装置の焼灼領域が加熱される前に、回復期間が観察される。さらに、この回復期間は、１又は複数のインプラント装置が血管壁内に取り込まれるか、又は内皮化されるのに十分長期であってもよい。
【００４５】
この方法の特に好ましい実施の形態では、インプラント装置から空間的に分離された外部エネルギ供給手段によって１又は複数のインプラント装置の焼灼領域を加熱するステップは、必要に応じて、例えば十分に間隔のあいた時間間隔で２回以上に亘って実施される。
【００４６】
この方法のより好ましい実施の形態では、本明細書に記載される１又は複数のインプラント装置が使用される。
【００４７】
この方法の更に好ましい実施の形態では、本明細書に記載されるシステムが使用される。
【図面の簡単な説明】
【００４８】
【図１】本発明による動脈構造及び静脈構造の治療用インプラントの異なる実施形態を概略的に表す図である。
【図２】本発明による動脈構造及び静脈構造の治療用インプラントの異なる実施形態を概略的に表す図である。
【図３】本発明による動脈構造及び静脈構造の治療用インプラントの異なる実施形態を概略的に表す図である。
【図４】本発明による動脈構造及び静脈構造の治療用インプラントの異なる実施形態を概略的に表す図である。
【図５】本発明による動脈構造及び静脈構造の治療用インプラントの異なる実施形態を概略的に表す図である。
【図６】本発明によるインプラントの一部分の詳細を概略的に表す図である。
【図７】本発明によるインプラントの一部分の詳細を概略的に表す図である。
【図８】本発明によるインプラントの一部分の詳細を概略的に表す図である。
【図９】本発明による動脈構造及び静脈構造の治療用インプラントの異なる実施形態を概略的に表す図である。
【図１０】本発明による動脈構造及び静脈構造の治療用インプラントの異なる実施形態を概略的に表す図である。
【図１１】本発明による動脈構造及び静脈構造の治療用インプラントの異なる実施形態を概略的に表す図である。
【図１２】ガイドワイヤ及びインプラント装置を伴うシースの実施形態を概略的に表す図である。
【図１３】１又は複数のインプラントを血管に送達するためにカテーテル法を行うことが可能な方法を概略的に示す図である。
【図１４】患者の治療に使用され得る外部エネルギ供給手段の実施形態を概略的に表す図である。
【図１５】血管での所定の位置におけるインプラントの実施形態を概略的に表す図である。
【図１６】強磁性体の磁気ヒステリシスループを示す図である。Ｈは磁場の強さであり、Ｍは試料の磁気モーメントであり、Ｈｃは保磁場であり、Ｍｒは残留磁気モーメントであり、そしてＭｓは飽和磁気モーメントである。非限定的なヒステリシスループを点線で示す。ループ上の或る特定のポイントに関する試料の磁区構造（domain structure）を概略的に示す。
【図１７】キュリー温度又はネール温度が１４０℃の磁性材料のヒステリシスループの典型的な温度依存性を示す図である。
【図１８】砂時計型のインプラントであって、一対の加熱リングを該インプラントの砂時計型部分（直径が小さくなる中間領域近傍）の周りに取り付けたインプラントの実施形態を示す図である。
【図１９】或る特定の温度において、発生し得る回路が遮断されるように、フューズを備えたインプラントの実施形態を示す図である。図１９ａは該フューズの詳細図を示す。
【図２０】異なる構成において、金属製インプラントが形状記憶合金で製造され得ることを示す図である。スイッチ又はフューズのオン位置及びオフ位置の詳細は、図２０ａ及び図２０ｂにそれぞれ示される。
【図２１】更に異なる構成において、インプラントは２種の異なる材料からなることを示す図であり、詳細は図２１ａに示される。
【図２２】インプラント周りに形成される広範囲のコーティングを専ら内腔側に有する、インプラントの実施形態を説明する図である。
【図２３】インプラント装置に内蔵熱スイッチを設けられる本発明の概念を示す図である。
【図２４】血管内で拡張位置にあるインプラントの寸法を示す図である。
【図２５−１】図２５ａと図２５ｂは、コイルの形状並びに絶対及び関連サイズが実施形態によって異なる場合がある、本発明の異なる実施形態を示す図である。
【図２５−２】図２５ｃと図２５ｄは、コイルの形状並びに絶対及び関連サイズが実施形態によって異なる場合がある、本発明の異なる実施形態を示す図である。
【図２５−３】図２５ｅと図２５ｆは、コイルの形状並びに絶対及び関連サイズが実施形態によって異なる場合がある、本発明の異なる実施形態を示す図である。
【図２５−４】図２５ｇは、コイルの形状並びに絶対及び関連サイズが実施形態によって異なる場合がある、本発明の異なる実施形態を示す図である。
【図２６】主に巻線付近に熱が蓄積されるが、血管の外側も高い温度まで加熱することができることが可能であることを示す図である。
【図２７】図２７ａと図２７ｂは、基本的に円筒形のインプラントの場合に、例えばＰＴＣすなわちサーミスタスイッチを備える更なる実施形態を示す図である。
【図２８】ＡＣ−ＤＣコンバータを、ｐｃｂに取り付けられ、かつコイルに結合されることができる更に大きな電子回路の一部とすることができることを示す図である。
【図２９−１】図２９ａと図２９ｂは、本発明のインプラントの実施形態において用いることができる電子回路を示す図である。
【図２９−２】図２９ｃと図２９ｄは、本発明のインプラントの実施形態において用いることができる電子回路を示す図である。
【図２９−３】図２９eと図２９ｆは、本発明のインプラントの実施形態において用いることができる電子回路を示す図である。
【図３０】図３０ａと図３０ｂは、インプラントの位置において時変磁場を与えることによってインプラントにエネルギを与えるために本発明のシステム又は方法において用いることができる外部エネルギ供給手段の実施形態を示す図である。
【図３１】インプラントの位置において時変磁場を与えることによってインプラントにエネルギを与えるために本発明のシステム又は方法において用いることができる外部エネルギ供給手段の実施形態を示す図である。
【図３２】図３２ａと図３２ｂは、インプラントの位置において時変磁場を与えることによってインプラントにエネルギを与えるために本発明のシステム又は方法において用いることができる外部エネルギ供給手段の実施形態を示す図である。
【図３３】インプラントの位置において時変磁場を与えることによってインプラントにエネルギを与えるために本発明のシステム又は方法において用いることができる外部エネルギ供給手段の実施形態を示す図である。
【図３４】インプラントの位置において時変磁場を与えることによってインプラントにエネルギを与えるために本発明のシステム又は方法において用いることができる外部エネルギ供給手段の実施形態を示す図である。
【発明を実施するための形態】
【００４９】
本発明は、１又は複数のインプラント装置及び励起装置のシステム、インプラント装置並びに動脈構造及び静脈構造の治療のための該システム又は１又は複数の装置の使用方法に関する。また、本発明は、インプラント装置、インプラント装置及び外部励起手段のシステム、並びに血管内に１又は複数のインプラント装置を設置し、その後これらのインプラント装置を好ましくは同時に加熱し、それによってインプラント装置からの熱を血管内壁へと輸送する、方法に関する。
【００５０】
別途定義されない限り、本発明の開示において使用される技術用語及び科学用語を包含する全ての用語は、本発明が属する技術分野における当業者によって通常理解される意味を有する。更なる指標により、本発明の教示をよりよく理解する用語の定義が包含される。
【００５１】
本明細書で使用される以下の用語は、以下の意味を有する。
【００５２】
本明細書で使用される数量を特定していない単数形（"A", "an", and "the"）は、別途文脈により明確に指示されない限り、単数及び複数の両方の指示物を意味する。例えば、「区画（a compartment）」は１又は２以上の区画を意味する。
【００５３】
本明細書においてパラメーター、量、期間等の計測可能な値に対する言及で使用される「約（About）」は、規定値より±２０％以下、好ましくは±１０％以下、より好ましくは±５％以下、更に好ましくは±１％以下、そして更に好ましくは±０．１％以下の変動を包含することを意味し、そのような変動であれば開示される本発明を実施するのに適切である。しかしながら、修飾語句「約」が言及する値そのものは具体的に開示されることも理解される。
【００５４】
本明細書で使用される「含む、備える（"Comprise," "comprising," and "comprises" and "comprised of"）」は、「包含する、含有する（"include", "including", "includes" or "contain", "containing", "contains"）」と同義であり、例えば成分等のその後に続く語の存在を明示する総称又は無制限の用語であって、この技術分野において既知又は本明細書に開示される追加の特定されていない成分、特徴、因子、部材、ステップの存在を排除又は除外するものではない。
【００５５】
終点による数値範囲の記述は、その範囲内に含まれる全ての数及び端数を包含し、同様に記述された終点も包含される。
【００５６】
「重量％」（重量パーセント）の表現は、別途定義されない限りここ及び本明細書全体において、配合の全重量に基づく各成分の相対的重量を意味する。
【００５７】
「インプラント」及び「インプラント装置」の表現は、本出願において区別なく使用される。本発明の記述において使用されるインプラント装置は、人工的な管又は管状装置、即ち環状の壁を有し、頂部及び底部において少なくとも部分的に開放している装置を意味し、上記環状壁は孔又は穴を有しても又は有しなくてもよく、上記管又は管状装置は、患者の体の血管（例えば静脈）内、又はヒト若しくは動物の死体、若しくはヒト若しくは動物の身体モデルの血管内に置かれることを目的とするものである。本記述において、用語「インプラント」及び「インプラント装置」は、装置が血管内に置かれ、流体に対してこの血管を開放し続けておくことを必ずしも意味するものではないが、これは該装置の効果の一つとなり得る。しかしながら、インプラント装置は、血管に比して固定された位置に置かれ、血管を流れる流体によって動かないことが意図される。用語「埋め込まれた（implanted）」装置を使用する場合、インプラント又はインプラント装置が埋め込まれていることを意味する。１つの実施形態において、インプラント装置はステント装置であり、この装置が埋め込まれた場合に流体に対して血管を開放し続けておく効果を目的とすることを意味する。
【００５８】
用語「カテーテル」及び「シース」は本出願において区別なく使用される。
【００５９】
用語「ガイドワイヤ」は、本出願において、体内に挿入された場合に制御可能にガイドされ得る装置について使用される。好ましい実施形態では、ガイドワイヤはカテーテル、即ちガイドカテーテルである。他の実施形態において、ガイドワイヤは中実であり、内腔を有しない。
【００６０】
用語「キュリー温度」及び「ネール温度」は、強磁性材料、反強磁性材料及びフェリ磁性材料がその温度を超えた場合に常磁性体又は反磁性体になる温度を意味し、以下において区別なく使用される。
【００６１】
本明細書の本文全体を通して「抵抗加熱」及び「ジュール加熱」は同義語として用いられ、電流が導体の中を流れて熱を放出するプロセスを指している。
【００６２】
本明細書の本文全体を通して「熱スイッチ」及び「温度制御式スイッチ」は同義語として用いられ、温度の値に応じて、１又は複数の電気回路を開閉することができるスイッチを指している。この温度は、スイッチの位置における温度とすることができるか、又は異なる位置において得られるような温度とすることができる。熱スイッチの具体的な実施形態が本文において更に提示される。
【００６３】
第１の態様では、本発明は、内部から少なくとも一部の血管壁を焼灼するシステムであって、
上記血管内へ埋め込まれ、展開されるように適合された自己拡張型インプラント装置であって、上記インプラントがその長さの少なくとも一部分に沿って焼灼領域を備え、上記焼灼領域が上記血管と表面接触するように適合され、上記焼灼領域が少なくとも１つの実質的に完全な環状バンド又はらせん状バンドの範囲を定め、該インプラントへのエネルギ印加による上記血管内のシグナル遮断経路の焼灼に有効である、自己拡張型インプラント装置と、
該インプラント装置から空間的に分離され、該インプラント装置の焼灼領域の温度を焼灼温度にまで上昇させるために該インプラント装置にエネルギを供給することが可能な外部エネルギ供給手段と、
を備えた、システムを提供する。
【００６４】
インプラント装置は自己拡張型であり、例えば、形状記憶合金で形成され、例えば腎動脈の内壁に留まるように構成される。インプラントは、ループ、へリックス、徐々に巻きついたヘリックス（progressively wound helix）、又はその他の好適な形状に形成されてもよい。インプラントは、末端近傍に、鉤又はかかり等の定着手段を有していてもよい。インプラント装置は、血管壁の焼灼領域に接する焼灼領域を備えてもよい。好ましくは、焼灼領域は、血管壁の周囲に実質的に完全な環状バンド若しくはらせん状バンド、又は血管壁の周囲に点線、破線、若しくは断続の環状若しくはらせん状バンドを備えてもよい。焼灼領域は、血管内壁の周囲に完全な環状バンド若しくはらせん状バンドを備えてもよく、又は焼灼領域は、血管壁の全厚みに対して血管壁の周囲に完全な環状バンド若しくはらせん状バンドを備えてもよい。「実質的に」は、焼灼領域は、焼灼領域の片側で発生する全ての電気シグナルが他方に到達しないようにすること、即ちシグナル遮断経路が焼灼されることを意味する。エネルギは、電磁放射線による、時変磁場を介したヒステリシス加熱による、直接誘導及び間接誘導による、並びにジュール加熱による、音響エネルギ手段、機械振動エネルギ手段及び化学エネルギ手段による、熱／化学放出システム又は機械／化学放出システムによる外部手段によってインプラント装置に供給され得る。
【００６５】
本発明の従来技術に対する利点の一つは、１又は複数のインプラント装置を同時に加熱することができ、即ちインプラントへのエネルギの送達が同時に起こり、順番に行う必要がないことである。これは、時間の節約になり、患者の快適性を高める。例えば、規定のキュリー温度を有する磁性材料の使用による、又はインプラント中に適切な絶縁材料を使用することによる温度のビルトインコントロールを通じて、追加のエネルギ送達がインプラント内の温度構成（temperature built-up）を更に増加することがない。
【００６６】
「外部」エネルギ供給手段は、これらの手段がインプラント装置から空間的に分離されていること、即ち、エネルギ供給手段とインプラント装置との間にいかなる物理的連結もないことを意味し、又はより具体的には、エネルギ供給手段は完全に患者の体外にあり、患者の皮膚はエネルギが供給される間無傷のままであることを意味する。
【００６７】
焼灼領域の温度は、治療の必要性に応じて規定される。必要とされる焼灼温度に依存し、インプラント装置は、インプラント装置を構成する材料の磁性特性及び熱特性を用いて、他の領域よりも或る特定の領域が温かくなるように操作され得る。１つの実施形態において、インプラント装置の一部分は、インプラント装置の他の部分又は身体部分若しくは体液から熱的に隔離されていてもよい。
【００６８】
好ましい実施形態では、このシステムは２以上のインプラント装置を備え、各インプラント装置は１又は複数の血管内に埋め込まれ、展開されるように適合されている。これらのインプラント装置は、各々、１又は複数の腎動脈内に埋め込まれ、展開されるように適合され得る。
【００６９】
特に好ましい実施形態では、このシステムの１又は複数のインプラント装置は、第一直径を有する近位部分、及び第一直径未満であって上記インプラントを１又は複数の血管内に固定することが十分可能な第二直径を有する遠位部分を備える。
【００７０】
特に好ましい実施形態では、このシステムの１又は複数のインプラント装置は、第一直径を有する近位部分、及び第一直径以上であって上記インプラントを１又は複数の血管内に固定することが十分可能な第二直径を有する遠位部分を備える。
【００７１】
尚、上記インプラント装置の形状は特定の血管に合うように適合させることができる。
【００７２】
インプラントの形状及び寸法を決めるため、ＣＴスキャン又はＭＲＩ等のスキャン技術によって、変動する血管の直径に関するデータを収集することが可能である。これらのデータより、例えば、患者の２つの腎動脈全てに関するインプラントに必要とされる形状及び寸法を得ることができる。また、この計測は、外科的手術を用いずに行うことができ、それにより患者の快適性及び健康を高め、医療リスクを低減する。この計測の後、患者の血管（単数又は複数）に合うようにインプラントを特別注文することができる。
【００７３】
好ましい実施形態では、このシステムの１又は複数のインプラント装置の少なくとも一部は、強磁性材料、フェリ磁性材料、又は反強磁性材料等の磁気ヒステリシスを示す少なくとも１種の材料から製造される。さらに、外部エネルギ供給手段は、１又は複数のインプラント装置の位置において時変磁場を作り出してもよい。より好ましい実施形態では、この時変磁場は、時変電流を送る電気コイルにより作り出される。
【００７４】
磁気ヒステリシスは、非常に多くの材料において発生する。最も知られ、最も使用されているのは強磁性材料、反強磁性材料及びフェリ磁性材料である。これらは、高い非線形磁気特性を有しており、即ち、誘導磁場（magnetic induction field）は材料内に印加された磁場に対して直接的には比例しない。しかしながら、これら全ての材料は、キュリー温度又はネール温度と呼ばれる或る特定の温度を超えるとそれら特有の磁気特性を失う。この温度は材料特異的である。この温度を超えると、強磁性材料、反強磁性材料及びフェリ磁性材料は常磁性体又は反磁性体となり、そのため非線形磁気特性を失う。強磁性材料、反強磁性材料及びフェリ磁性材料の非線形磁気特性は、時変磁場を印加する場合に観察されるヒステリシスから推定され得る。
【００７５】
磁気ヒステリシスは、強磁性体等の磁性材料において観察される。強磁性体の主な特徴は、自発磁化の存在である。通常、強磁性体は均一には磁化されないが、磁化の程度（単位体積当たりの磁気モーメント）は同一であるもののその方向が異なる均一な自発磁化の領域、即ちドメインに分割される。外部磁場の影響のもと、磁場に沿って磁化されるドメインの数及びサイズは、他のドメインを犠牲にして増加する。さらに、或る特定のドメインの磁気モーメントは、磁場の向きが回転する場合がある。その結果、試料の磁気モーメントが高まる。
【００７６】
外部磁場の強度Ｈに対する強磁性試料の磁気モーメントＭの依存性（磁化曲線）が図１６に示される。十分に強い磁場において、試料は飽和状態にまで磁化される（更に磁場が高まると、Ｍの値が見かけ上変化しなくなる−Ａ点）。ここで、試料は磁場に沿って方向づけられた飽和磁気モーメントＭｓを伴う１つのドメインからなる。外部磁場の強度Ｈが減少すると、磁場に対してその磁気モーメントが向けられたドメインの出現及び成長により、主として曲線Ｉに沿って試料の磁気モーメントＭが低下する。ドメインの成長はドメイン壁の運動による。この運動は、ある時点でドメイン壁を強化する、試料に存在する様々な欠陥（不純物又は不均等性等）によって妨げられ、これらを取り除くため非常に強い磁場が必要とされる。したがって、磁場Ｈがゼロまで低下すると、いわゆる残留磁気モーメントＭｒ（Ｂ点）が保持される。保磁場（保磁力）Ｈｃ（Ｃ点）と呼ばれる反対方向の十分に強い磁場においてのみ、試料を完全に消磁することができる。逆方向の磁場が更に増加すると、再び試料が磁場に沿って飽和状態にまで磁化される（Ｄ点）。（Ｄ点からＡ点への）磁気反転が曲線ＩＩに沿って起こる。したがって、磁場が循環的変化（cyclical change）を経ると、試料の磁気モーメントにおける変化を特徴づける曲線は、磁気ヒステリシスループを形成する。磁化が飽和に達しないこのような限界を伴って磁場Ｈが循環的に変化する場合、無制限の磁気ヒステリシスループが生み出される（曲線ＩＩＩ）。磁場Ｈにおいて変化する程度をゼロまで減少することによって、試料は完全に消磁され得る（Ｏ点に到達し得る）。試料の磁化は、Ｏ点から曲線ＩＶに沿って継続する。
【００７７】
磁気ヒステリシスにおいて、磁気モーメントＭの個別の値は、外部の磁場強度Ｈの同一の値に対応する。この非特異性は、所定の状態に先行する試料の状態（即ち、試料の磁気的な経緯）の影響によるものである。
【００７８】
磁気ヒステリシスループの形状及びサイズ、並びにＨｃの量は、様々な強磁性体において幅広い範囲に亘る。例えば、純鉄においてはＨｃ＝１エルステッドであり、マグニコ（magnico）合金においてはＨｃ＝５８０エルステッドである。磁気ヒステリシスループは、材料の処理過程によって強く影響を受け、その間、多くの欠陥が変更される。磁気ヒステリシスループの面積は、１サイクルの磁場変動における試料でのエネルギ損失に等しい。このエネルギは、試料中の強磁性材料の総体積にも比例する。このエネルギは、最終的には試料を加熱するために使用される。そのようなエネルギ損失は、ヒステリシス損失と呼ばれる。（例えば、変圧器コア、並びに電気機器の固定子及び回転部における）ヒステリシスに対する損失が望ましくない場合、低いＨｃ及び小さなヒステリシスループ面積を有する磁気的に軟らかい材料が使用される。一方、高いＨｃを有する磁気的に硬い材料が永久磁石の製造に必要とされる。
【００７９】
交流磁場の周波数（単位時間当たりの磁気反転サイクルの数）が高まるほど、過電流及び磁気粘性による他の損失がヒステリシス損失に追加される。高い周波数では、ヒステリシスループの面積は対応して増加する。そのようなループは、上述の静的ループに対して、時に動的ループと呼ばれる。
【００８０】
電気抵抗及び機械的変形等の強磁性体のその他の多くの特性は、磁気モーメントに依存する。また、磁気モーメントの変化はこれらの特性に変化をもたらし、例えば、電磁気的ヒステリシス及び磁歪ヒステリシスがそれぞれ観察される。
【００８１】
ヒステリシスループは温度に依存する。図１７は、１４０℃のキュリー温度又はネール温度を有する磁性材料のヒステリシスループの典型的な温度依存性を示す。形状の温度依存性のみを特徴付けるものであり、軸上にはいかなる単位も与えられておらず、該図面は解説を目的とすることに留意されるべきである。温度によってヒステリシスループは変化し、徐々に鋭く、薄くなり、いずれはキュリー温度又はネール温度における消滅が観察される。この温度以降、材料は常磁性体又は反磁性体となり、ヒステリシスに起因する加熱損失は観察されない。これは、この材料が少なくともヒステリシス効果によってはこれ以上加熱されず、キュリー温度又はネール温度で保持されることを意味する（以下において、２つの用語「キュリー」温度又は「ネール」温度は区別せずに用いられ得る）。直接誘導又は間接誘導等の他の効果による加熱は、なおも可能であるが、これらの効果は、特にヒステリシス効果による巨大な加熱能力に比べると、この場合無視することができるほどのものであるということを述べておく。
【００８２】
インプラント装置の焼灼領域が、例えばキュリー温度４０℃の材料を含む場合、インプラントは、例えば本発明のシステムの外部エネルギ供給手段によってこの温度にまで加熱され、時変磁場に晒された場合にはこれ以上加熱されないということが当業者に明らかである。焼灼温度を４２℃又は４５℃とする必要がある場合、インプラントにおいて使用される磁性材料を、キュリー温度としてこの温度を有するように変更してもよい。これは、例えば磁性材料の合金の組成を変化させることによって行うことができる。磁性材料のキュリー温度は、非常に正確に操作され得る。
【００８３】
好ましい実施形態において、インプラント装置に使用される磁性材料は、以下の材料の組合せ又は合金：ＭｎＡｓ、Ｇｄ、Ｆｅ薄塗布を有するＧｄ、およそ２９．５ａｔ．％のＮｉを有するＮｉ−Ｆｅ合金（１０００℃から徐々に冷却される）、３０ａｔ．％のＮｉを有するＮｉ−Ｆｅ、Ｃｒ、ＣｏＯ、ＺｎＦｅ２Ｏ４であり、１０℃、２０℃、２５℃、３０℃、３５℃、４０℃を超えるキュリー温度若しくはネール温度、及び／又は７５℃、７０℃、６５℃、６０℃、５５℃、５０℃、４５℃、４０℃を下回るキュリー温度若しくはネール温度を有するあらゆる磁性材料である。
【００８４】
合金又は複合材料のキュリー温度又はネール温度は、これらの材料を製造する処理過程に強く依存し得る。特に、焼鈍工程（annealing procedures）が重要である可能性がある。また、イオン放射線（ion radiation）等のキュリー温度の他の変更方法も所望の材料を供給するために使用され得る。ランドルト−ベルンシュタインデータベース等の標準的な参考文献に明記される所望のキュリー温度又はネール温度を有する磁性材料、合金、二元合金、三元合金又は四元合金のいずれも使用することができる。
【００８５】
他の実施形態では、このシステムは、
１又は複数のインプラント装置を、１又は複数の血管の所望の位置又はその近傍に輸送及び送達するために好適なシースと、
１又は複数のインプラントを伴うシースを１又は複数の血管の所望の位置へと順次ガイドするために好適なガイドワイヤと、
も備えている。
【００８６】
この実施形態においてシースは、本明細書に記載される１又は複数のインプラント装置を送達することが可能なインプラント送達システムを包含する。そのような送達装置及びガイドワイヤを有するシースの実施形態は図１２に示される。
【００８７】
更なる態様では、本発明は、血管内へ埋め込まれ、展開されるように適合された自己拡張型インプラント装置であって、上記インプラントがその長さの少なくとも一部分に沿って焼灼領域を備え、該焼灼領域が血管と表面接触するように適合され、該焼灼領域が少なくとも１つの実質的に完全な環状バンド又はらせん状バンドの範囲を定め、該インプラントへのエネルギ印加による血管内のシグナル遮断経路の焼灼に有効であり、上記焼灼領域が、強磁性材料、フェリ磁性材料、又は反強磁性材料等の磁気ヒステリシスを示す少なくとも１種の材料を含む、自己拡張型インプラント装置を提供する。
【００８８】
好ましくは、上記材料は含鉄流体（ferrous fluid）（即ち、熱伝導性流体中に懸濁された強磁性粒子、フェリ磁性粒子及び／又は反強磁性粒子）を含み、上記材料は好ましくは上記インプラント装置内に含有される。より好ましい実施形態では、上記インプラント装置は、上記熱伝導性流体中の上記強磁性粒子、フェリ磁性粒子及び／又は反強磁性粒子を含む１又は複数の液密な腔を備える。更に好ましい実施形態では、上記粒子は以下の材料のいずれか又はいずれかの組合せを含む：ＳｒＦｅ１２Ｏ１９、Ｍｅａ−２Ｗ、Ｍｅａ−２Ｙ、及びＭｅａ−２Ｚ（ここで２ＷがＢａＯ：２ＭｅａＯ：８Ｆｅ２Ｏ３、２Ｙが２（ＢａＯ：ＭｅａＯ：３Ｆｅ２Ｏ３）及び２Ｚが３ＢａＯ：２ＭｅａＯ：１２Ｆｅ２Ｏ３であり、Ｍｅａが二価陽イオンであり、二価陽イオンはＭｇ、Ｃｏ、Ｍｎ、及びＺｎから選択されることが好ましい）、及び／又は１ＭｅｂＯ：１Ｆｅ２Ｏ３（ここでＭｅｂＯがＮｉ、Ｃｏ、Ｍｎ及びＺｎから選択される遷移金属酸化物である）、及び／又はＬａ０．８Ｓｒ０．２ＭｎＯ３、Ｙ３Ｆｅ５−ｘＭｘＯ１２のような合金（ここでＭはＡｌ又はＧｄであり、０＜ｘ＜２である）、及び／又はＰｄ、Ｃｏ、Ｎｉ、Ｆｅ、Ｃｕ、Ａｌ、及びＳｉのいずれかの組合せの合金、及び／又はＮｉ、Ｃｏ、及びＦｅのいずれかの組合せとＧｄ、Ｔｈ、Ｄｙ、Ｈｏ、Ｅｒ及びＴｍのいずれかの組合せとの合金、及び／又は合金ＲＭｎ２Ｘ（ここでＲが、Ｌａ、Ｃｅ、Ｐｒ又はＮｂ等の希土類であり、ＸがＧｅ又はＳｉのいずれかである）。以下の合金のいずれか又はいずれかの組合せが特に好ましい：２８％又は２９．６％のＮｉを含むＮｉＣｕ、ＮｉＰｄ、６．１５％のＰｄを含むＰｄＣｏ、４％のＮｉを含むＮｉＳｉ、（Ｎｉ、ＺｎＯ）Ｆｅ２Ｏ３、１．０≦ｘ≦１．７であるＬａ０．８Ｓｒ０．２ＭｎＯｘ、Ｙ３Ｆｅ５−ｘＡｌｘＯ１２。粒子はどのような大きさであってもよく、最長が好ましくは１０ｎｍより長く、より好ましくは２０ｎｍより長く、また最長が５００μｍより小さく、好ましくは１００μｍより小さい。或る特定の実施形態において、上記粒子は最長が１μｍより小さく、好ましくは２００ｎｍより小さい。他の実施形態において、上記粒子は、最長が１μｍより長く、好ましくは２０μｍより長い。上記粒子が懸濁される上記流体は適切な熱伝導特性を備えることが好ましい。好ましい実施形態では、上記流体は、大きな熱容量を備える。他の好ましい実施形態では、上記流体は低い熱容量を備える。この粒子に対して使用する磁性材料及び使用する流体の的確な特徴、量及び組合せは、例えば、腎動脈の内壁の完全ならせん状焼灼を誘導する所望の温度及び熱に依存する。好ましい実施形態において、上記磁性材料は、３７℃、３８℃、３９℃、４０℃、４１℃、４２℃、４３℃、４４℃、４５℃、４６℃、４７℃、４８℃、４９℃、５０℃、５１℃、５２℃、５３℃、５４℃、５５℃、又はこれらの間の任意の値、若しくはこれらの任意の組合せのキュリー温度又はネール温度を備え、好ましくは上記キュリー温度又はネール温度は７５℃より低く、より好ましくは７０℃より低く、更に好ましくは６５℃より低く、更に好ましくは６２℃より低く、更に好ましくは５９℃より低く、更に好ましくは５７���より低く、更に好ましくは５５℃よりも低い。
【００８９】
好ましい実施形態では、インプラント装置は腎動脈内に埋め込まれ、展開されるように適合される。
【００９０】
特に好ましい実施形態では、このインプラント装置の一部は、磁気ヒステリシスを示し、異なるキュリー温度又はネール温度を有する２以上の材料から製造される。
【００９１】
異なる温度は、インプラント装置の焼灼領域がどの材料を含むかによって個別の場所で異なる損傷を生じる。異なるキュリー温度を有する材料からなるインプラント装置の熱的隔離部分により、インプラント装置に沿って焼灼温度の段階的な変動が可能である。また、より高い熱容量を有する材料を含む部分は、よりゆっくりと加熱されるが、その後より長期に亘って熱いままである。焼灼特徴の操作は、インプラントに使用される材料の磁気特性及び熱特性を利用してインプラントを操作することによって行われ得る。
【００９２】
より好ましい実施形態では、このインプラント装置は、長期間の埋め込みに好適である。他の実施形態では、このインプラント装置は、生体吸収性インプラント装置、又は１若しくは複数の焼灼工程の後に例えば蒸発によって消滅するインプラントである。好ましい実施形態では、このインプラント装置は、第一直径を有する近位部分、及び第一直径未満であって上記インプラント装置を血管内に固定することが十分可能な第二直径を有する遠位部分を備えてもよい。このインプラント装置は、上記インプラント装置の近位部分若しくは遠位部分に、又はその近傍に定着手段を更に備えてもよく、上記定着手段は血管内壁に比して同じ位置又はその近傍にこの装置を保持するために好適である。定着手段は、鉤若しくはかかり、又はインプラント装置を所望の位置に保持するために当該分野で既知のその他のものを備えてもよい。
【００９３】
好ましい実施形態において、インプラント装置は、外部から起動可能な（triggerable）部分を備え、定着手段を具備した弾性的に圧縮可能なボディを備える。このボディは、主にワイヤで作製され、拡張位置又は解放位置においては、狭化した管状形及び／又はいくぶん平板化された狭化した管状形（即ち、長軸に沿ったほとんどの位置における断面が楕円形又は円形等であり、腎動脈内に置くために好適である）を具備していてもよい。また、少なくともボディが解放位置又は非圧縮位置にある場合、ボディは２〜５の円形ワイヤ（第一の大きな円形又は楕円形ワイヤ、及び直径が徐々に小さくなる更なる円形又は楕円形ワイヤであり、互いに離れて設置され保持される）を備えてもよい。ボディは編み込まれた金属ワイヤ（血管壁又は血管の動脈壁との多数の連結を可能とする複数の相互連結、交差及び／又は層を有する）で構成されていてもよい。ボディは、長軸に沿って直径が徐々に小さくなるらせん形ワイヤであることが意図される。インプラント装置のワインディングは、装置が一旦解放されると、架橋直立ワイヤ部分と相互に連結され、例えば腎動脈の完全な円形の被覆を確実にするために閉鎖ループを与えてもよい。ボディは、最終的に金属ケージを形成するように、外側に曲がった縦型金属ビーズ（longitudinal metal beads）を呈してもよく、さらにそれらの間に幾つかの相互連結を呈してもよい。インプラント装置は、腎動脈に埋め込まれる場合、ボディの円形又は楕円形ワイヤ上で計測され得る最も離れた２点の距離が、３ｍｍ〜３０ｍｍ、より具体的には５ｍｍ〜２０ｍｍ、更に具体的には９ｍｍ〜１３ｍｍの範囲であることを特徴とするものであってもよい。インプラント装置は、血管に埋め込まれる場合、インプラント装置のボディの円形又は楕円形ワイヤ上で計測され得る最も離れた２点の距離が、５ｍｍ〜５０ｍｍ、より具体的には８ｍｍ〜４０ｍｍ、更に具体的には１０ｍｍ〜３０ｍｍの範囲であることを特徴とするものであってもよい。インプラント装置のボディは、主に１又は複数の金属合金で作製されてもよい。インプラント装置のボディは、電磁放射線、直接誘導若しくは間接誘導、音響エネルギ、機械的振動、加熱及び／又はインプラント若しくはその一部分のその他の特徴の変更から選択される、エネルギ場、又はエネルギ場の組合せによって外部から起動可能な部分を備えてもよい。インプラント装置に使用される幾つかの材料は、遠隔的に印加された交流磁場に対して反応する（例えば発熱する）タイプのものであってもよい。エネルギは、電磁放射線による、時変磁場を介したヒステリシス加熱による、直接誘導及び間接誘導による、並びにジュール加熱による、音響エネルギによる、機械的振動及び化学エネルギ手段による、熱／化学放出システム又は機械／化学放出システムによる外部手段によってインプラント装置に供給され得る。ボディは、交流磁場に特異的に反応する、任意に異なる強磁性特性及び／又は吸収係数を有する異なる金属合金で作製された部分を備えてもよい。インプラント装置のボディの部分は、変動する特性を有する１又は複数のコーティングを具備してもよい。インプラント装置のボディのワイヤ（単数又は複数）又は他の部分は、異なる合金及び／又は���の他の材料で作製された異なる層で構成される。さらに、インプラント装置は、外部から印加されるエネルギ場、例えば外部から印加される交流磁場に対して、個別のコーティング又は層が異なる反応を示すことを特徴とするものであってもよい。高い隔離特徴を有する内腔側のコーティング又は層がインプラント装置に具備されてもよい。インプラント装置のボディは、使用される材料の弾性特性及びボディの幾何学的形状により自己拡張特性を有していてもよく、更なる拡張は、血管の解剖学的構造を変更するために必要な拡張圧に等しい、約１０ｍｍＨｇ〜４０ｍｍＨｇ、好ましくは２０ｍｍＨｇ〜３０ｍｍＨｇ、より好ましくは２２ｍｍＨｇ〜２８ｍｍＨｇ、更に好ましくは２５ｍｍＨｇ付近の逆圧に接した場合に停止する。インプラント装置は、腎動脈へと導入された際（例えば外部エネルギ場が印加された後）にのみ放出される毒性物質を具備し、毒性物質がその後制限された壊死性の損傷／神経毒性による損傷を生み出すことを特徴としてもよい。これらの毒素として、エタノール、テトロドトキシン及びバトラコトシキン、モーロトキシン、アジトキシン、カリブドトキシン、マーガトキシン、スロトキシン、スキラトキシン及びヘフトキシン、カルシセプチン、タイカトキシン、カルシクルジン、及びＰｈＴｘ３、ボツリヌストキシン、サイトカラシンＤ、ラパマイシン、シロリムス、ゾタロリムス、エベロリムス、パクリタキセル、グルタメート、イソキノリン、Ｎ−メチル−（Ｒ）−サルソリノール、β−カルボリン誘導体が挙げられるが、これらに限定されない。インプラント装置は、誘発エネルギ場によって放出され得る、物質が備えられる微細孔を具備していてもよい。インプンラント装置は、体温が活性化を引き起こすように３５℃を超える温度でのみ活性化される熱活性コーティングを具備していてもよい。インプラント装置は、エネルギ場の外部からの印加が活性化を引き起こすように４５℃を超える温度でのみ活性化される熱活性コーティングを具備していてもよい。インプラント装置は、血管、例えば腎動脈の壁において部分的な挿入又は陥入を可能とする、主に伸長された形状からなる定着手段、及び／又は任意にワイヤが張られた構造と組み合わせた拡張力を具備していてもよい。また、これらの定着手段は、任意にインプラントの外側方向の部分に取り付けられた鉤又はかかり等を備えてもよい。
【００９４】
好ましい実施形態では、上記インプラント装置は、１又は複数の物質で満たされ、インプラントが加熱された場合に開放する、及び／又はインプラントが体温を得た場合に開放する腔を備え、及び／又は上記インプラントが１又は複数の物質を含むコーティングを備える。
【００９５】
好ましい実施形態では、本発明によるインプラント装置は、最大円周と最少円周、及び最大円周と最少円周との比を備え、上記比は１０未満、好ましくは９未満、より好ましくは８未満、更に好ましくは７未満、更に好ましくは６未満であって、１．１より大きく、好ましくは１．５より大きく、より好ましくは２より大きく、更に好ましくは２．５より大きく、更に好ましくは３より大きい。好ましい実施形態において、インプラント装置は、インプラントの長手方向に沿って変化する円周を備え、上記円周は少なくとも２０ｍｍ、好ましくは少なくとも２５ｍｍ、より好ましくは少なくとも３０ｍｍ、更に好ましくは少なくとも３６ｍｍ、更に好ましくは少なくとも４２ｍｍ、更に好ましくは少なくとも４８ｍｍであり、最大３７５ｍｍ、より好ましくは最大３５０ｍｍ、更に好ましくは最大３２５ｍｍ、更に好ましくは最大３００ｍｍ、更に好ましくは最大２７５ｍｍ、更に好ましくは最大２５０ｍｍの間で変動する。そのような比又は寸法は、特に血管が腎動脈である場合、血管内壁の原則的に環状なバンド又はらせん状バンドの範囲を定めることを確実にするために必要となる場合がある。
【００９６】
特に好ましい実施形態では、自己拡張型インプラント装置が拡張状態にある場合、上記円周はインプラント装置が適合された血管（例えば、腎動脈）本来の直径の最大２００％、好ましくは最大１９０％、より好ましくは最大１８０％、更に好ましくは最大１７０％、更に好ましくは最大１６０％、更に好ましくは最大１５０％であってもよい。
【００９７】
好ましい実施形態では、インプラント装置は、ジグザグの若しくは織られた若しくは編まれた材料、引き抜き管、偏心引き抜き管、中空支柱、流体で満たされた中空支柱、又はこれらの任意の組合せを含む外表面を備える。
【００９８】
好ましい実施形態では、本発明によるインプラント装置は、原則的に円筒状の形状を備え、少なくとも２ｍｍ、好ましくは少なくとも３ｍｍ、より好ましくは少なくとも４ｍｍ、更に好ましくは少なくとも５ｍｍ、更に好ましくは少なくとも６ｍｍであり、最大２０ｍｍ、好ましくは最大１６ｍｍ、より好ましくは最大１３ｍｍ、更に好ましくは最大１０ｍｍ、更に好ましくは最大９ｍｍの直径を備えることが好ましい。そのような形状又は寸法は、とりわけ血管の原則的に円筒状の部分において、とりわけ血管が腎動脈である場合、血管内壁の環状バンド又はらせん状バンドの範囲を定めることを確実にするために必要となる場合がある。
【００９９】
好ましい実施形態では、本発明によるインプラント装置は、遠位部分及び近位部分を備え、上記焼灼領域は近位部分からインプラントの全長の５０％以内、好ましくは４０％以内、より好ましくは３０％以内に配置される。好ましい実施形態では、本発明によるインプラント装置は、遠位部分及び近位部分を備え、上記焼灼領域は、近位部分から２５ｍｍ以内、好ましくは２０ｍｍ以内、より好ましくは１５ｍｍ以内に配置される。
【０１００】
好ましい実施形態では、インプラント装置は遠位部分及び近位部分を備え、上記定着装置の過熱を防止するために熱絶縁的な連結を介して上記インプラントの焼灼領域に連結された定着装置を備え、上記定着装置は遠位部分に連結されることが好ましい。定着装置は、インプラント装置の他の部分とは異なる材料を含んでいてもよい。とりわけ、定着装置は、その寸法、形状又は材料に起因する異なる熱特性を有してもよい。定着装置は、例えば腎動脈の口部において最適に定着するため、インプラント装置の遠位部分に連結されてもよい。熱絶縁的な連結は、熱絶縁材料を備えてもよく、又はその形状及び寸法（例えば、焼灼領域に定着装置を取り付ける多数の薄いストラップ又はワイヤ）により熱絶縁性を高めてもよい。
【０１０１】
好ましい実施形態では、動脈構造及び静脈構造の治療用システムは、上記いずれかの実施形態によるインプラント装置、及びインプラント装置が具備された後、好ましくは患者の体外から使用することが意図される励起装置又はエネルギ供給装置を備え、それによってインプラント装置が配置されている動脈構造又は静脈構造の治療をするために、励起によりインプラント装置の特徴が変更される。動脈構造及び静脈構造の治療用の励起装置は、本明細書に記載されるあらゆる実施形態によるインプラント装置と共同して使用されることが意図されてもよい。
【０１０２】
好ましい実施形態では、上記インプラント装置が埋め込まれた場合に患者の血液と接触し得るインプラント装置の部位は、インプラント装置の励起の間、血液が加熱又は過熱されないようにインプラント装置の他の部分から熱的に隔離される。そのような部位は、高い隔離特性を有する内腔コーティング又は層を備える。血液の加熱は、患者の利益及び快適性のため可能な限り回避されるべきであることは明らかである。
【０１０３】
他の実施形態では、インプラント装置は、インプラント装置の目的に好適な熱特性及び／又は弾性特性を有するその他の材料によって囲まれた、或る特定のキュリー温度を有する材料のコア領域を備える。そのようにして、インプラント装置を通して温度プロファイルを操作することができる。血管壁に接触して焼灼によって損傷を形成することが意図されるインプラントの部位が最も加熱されるべきであり、血管又は血液に接触し、損傷を形成することが意図されないインプラントのその他の部位では、患者の健康のために受ける熱を可能な限り少なくするべきであることが明らかである。
【０１０４】
更に別の実施形態では、このインプラント装置は、１又は複数の物質で満たされ、このインプラントが加熱された場合に開放する腔を備える。好ましい実施形態では、これらの物質は（例えば、二成分性神経毒を送達するため）患者の体内又は血管壁へと放出される前に混合される。より好ましい実施形態では、これらの物質は下記物質の１又は複数の選択又は組成物である：
エタノール；
テトロドトキシン及びバトラコトシキン；
モーロトキシン、アジトキシン、カリブドトキシン、マーガトキシン、スロトキシン、スキラトキシン又はヘフトキシン；
カルシセプチン、タイカトキシン、カルシクルジン、又はＰｈＴｘ３；
ボツリヌストキシド；
サイトカラシンＤ、ラパマイシン、シロリムス、ゾタロリムス、エベロリムス、パクリタキセル；
グルタメート；
イソキノリン；
Ｎ−メチル−（Ｒ）−サルソリノール；
β−カルボリン誘導体。
【０１０５】
そのようなインプラントによれば、例えば外部エネルギ供給手段によってインプラントを加熱することにより、所望の時点で血管壁又は血流中に所望の物質を放出することが可能となる。さらに、インプラント及びインプラント中の腔は、例えば二成分性神経毒２種の成分を体内に放出される前に混合するように設計されてもよい。
【０１０６】
好ましい実施形態では、本発明によるインプラント装置は、好ましくは上記装置の外表面上に１又は複数の毒素のデポジットを備え、上記デポジットは、加熱（好ましくはヒステリシス加熱）によって溶解され得る金属層によって覆われている。
【０１０７】
類似の態様では、本発明は、ピックアップコイルと、ヒータコイルと、閉位置及び中断位置を含む温度制御式スイッチとを備える電気回路を備えるインプラントを提供する。このスイッチは、バイメタル構成要素、及び／又はＰＴＣサーミスタのようなサーミスタを備えることが好ましく、及び／又はそのスイッチは、温度センサと、センサが所定の温度を測定するときに、スイッチを中断し、それゆえ、電気回路を中断するためにセンサ及びスイッチに接続される、好ましくはデジタル式のサーモスタットとを備えることが好ましい。スイッチは、インプラントにおける又はインプラント付近の温度が所定の焼灼温度より高いときに、閉位置から開位置に変化するように構成されることが好ましい。好ましい実施形態では、スイッチは、インプラントにおける又はインプラント付近の温度が所定のスイッチング温度より低いときに、開位置から閉位置に変化するように構成される。一実施形態では、焼灼温度は、スイッチング温度に等しい。別の実施形態では、スイッチング温度は焼灼温度とは異なり、好ましくは、スイッチング温度は焼灼温度より低く、例えば、焼灼温度より少なくとも０．０１℃、０．１℃、０．５℃、１℃、２℃、３℃、４℃、５℃、６℃、７℃、８℃、９℃、１０℃、１１℃、１２℃、１３℃、１４℃、１５℃、１６℃、１７℃、１８℃、１９℃、２０℃低い。好ましい実施形態では、その回路は、冗長性のために、すなわち、望みどおりに少なくとも１つのスイッチ機能を確保するために、好ましくは直列に接続される２つ以上、例えば、２つ、３つ、４つ又はそれ以上のスイッチを備える。
【０１０８】
更に別の類似の態様では、本発明は、加熱による焼灼によって腎交感神経シグナルを遮断することにより動脈性高血圧を処置するインプラントを提供し、そのインプラントは、ピックアップコイルと、ヒータコイルと、温度依存性ＬＣ回路とを備える電気回路を備え、そのＬＣ回路は温度に依存する共振周波数を含む。
【０１０９】
上記のインプラントのピックアップコイルは、ピックアップコイルを通る時変磁束の影響下で、そのピックアップコイルが接続される電気回路の中に電流を誘導するように構成される。それに加えて、ピックアップコイルは、低い抵抗及び高いインダクタンスを含むことが好ましい。
【０１１０】
好ましくは、ピックアップコイルは、０．０２オームより大きく、好ましくは０．０５オームより大きく、より好ましくは０．１オームより大きく、更に好ましくは０．１５オームより大きく、更に好ましくは０．２オームより大きく、更に好ましくは０．３オームより大きく、更に好ましくは０．５オームより大きく、及び／又は３０オームより小さく、好ましくは３０オームより小さく、より好ましくは２５オームより小さく、更に好ましくは２０オームより小さく、更に好ましくは１５オームより小さく、更に好ましくは１０オームより小さく、更に好ましくは５オームより小さく、最も好ましくは約１オームである抵抗を含む。
【０１１１】
好ましくは、ピックアップコイルは、０．０２μＨより大きく、好ましくは０．０５μＨより大きく、より好ましくは０．１μＨより大きく、更に好ましくは０．１５μＨより大きく、更に好ましくは０．２μＨより大きく、更に好ましくは０．３μＨより大きく、更に好ましくは０．５μＨより大きく、及び／又は３０μＨより小さく、好ましくは３０μＨより小さく、より好ましくは２５μＨより小さく、更に好ましくは２０μＨより小さく、更に好ましくは１５μＨより小さく、更に好ましくは１０μＨより小さく、更に好ましくは７μＨより小さく、最も好ましくは約４μＨであり、例えば、１μＨ、２μＨ、３μＨ、４μＨ、５μＨ、６μＨ、７μＨ又はその間の任意の値であるインダクタンスを含む。
【０１１２】
好ましい実施形態では、加熱コイルは、上記血管の内壁上の実質的に完全な環状シグナル遮断損傷又はらせん状シグナル遮断損傷を得るために、血管内、好ましくは腎動脈内の実質的に完全な環状又はらせん状焼灼領域の範囲を定めるように構成される。好ましくは、ヒータコイルは高い抵抗及び低いインダクタンスを含む。
【０１１３】
好ましくは、ヒータコイルは、０．４オームより大きく、好ましくは１オームより大きく、より好ましくは２オームより大きく、更に好ましくは３オームより大きく、更に好ましくは４オームより大きく、更に好ましくは６オームより大きく、更に好ましくは１０オームより大きく、及び／又は１５０オームより小さく、好ましくは１００オームより小さく、より好ましくは８０オームより小さく、更に好ましくは６０オームより小さく、更に好ましくは５０オームより小さく、更に好ましくは４０オームより小さく、更に好ましくは３０オームより小さく、最も好ましくは約２５オームである抵抗を含む。
【０１１４】
好ましくは、ヒータコイルは、０．０２μＨより大きく、好ましくは０．０５μＨより大きく、より好ましくは０．１μＨより大きく、更に好ましくは０．１５μＨより大きく、更に好ましくは０．２μＨより大きく、更に好ましくは０．３μＨより大きく、更に好ましくは０．５μＨより大きく、及び／又は３０μＨより小さく、好ましくは３０μＨより小さく、より好ましくは２５μＨより小さく、更に好ましくは２０μＨより小さく、更に好ましくは１５μＨより小さく、更に好ましくは１０μＨより小さく、更に好ましくは７μＨより小さく、最も好ましくは約４μＨであり、例えば、１μＨ、２μＨ、３μＨ、４μＨ、５μＨ、６μＨ、７μＨ又はその間の任意の値であるインダクタンスを含む。
【０１１５】
特定の好ましい実施形態では、ヒータコイルの抵抗は、ピックアップコイルの抵抗より大きく、及び／又はピックアップコイルのインダクタンスはヒータコイルのインダクタンスより大きい。
【０１１６】
好ましい実施形態では、例えば、インダクタンスを介してかけられる時変磁場のような外部エネルギ供給手段によって、インプラントが作動するときに、ヒータコイルを通って流れる電流は、０．１Ａより大きく、好ましくは０．２Ａより大きく、より好ましくは０．３Ａより大きく、更に好ましくは０．４Ａより大きく、更に好ましくは０．５Ａより大きく、更に好ましくは０．６Ａより大きく、更に好ましくは０．７Ａより大きく、更に好ましくは０．８Ａより大きく、かつ１０Ａより小さく、より好ましくは８Ａより小さく、更に好ましくは６Ａより小さく、更に好ましくは４Ａより小さく、更に好ましくは２Ａより小さく、更に好ましくは１．５Ａより小さく、更に好ましくは１Ａより小さく、最も好ましくは約０．９Ａである。
【０１１７】
本発明における所定の温度は、インプラントがその中に配置されることになる血管の内壁のための焼灼温度であることが好ましい。好ましくは、焼灼温度は、３７℃、３８℃、３９℃、４０℃、４１℃、４２℃、４３℃、４４℃、４５℃、４６℃、４７℃、４８℃、４９℃、５０℃、５１℃、５２℃、５３℃、５４℃、５５℃、５６℃、５７℃、５８℃、５９℃、６０℃、６１℃、６２℃、６３℃、６４℃、６５℃、６６℃、６７℃、６８℃、６９℃、７０℃、７１℃、７２℃、７３℃、７４℃、７５℃又はその間の任意の値である。
【０１１８】
好ましい実施形態では、ピックアップコイル、ヒータコイル、及びバイメタル構成要素を含む温度制御式スイッチは、直列に接続され、バイメタル構成要素は、所定の温度より高く加熱されるときに開位置にあり、それにより、回路を遮断して、ヒータコイルが加熱されないようにし、また、温度が所定の温度より低いとき、バイメタル構成要素は閉位置にあり、それにより、電流、例えば、誘導電流がヒータコイルを通って流れることができるように回路を閉じる。
【０１１９】
好ましくは、インプラントは、外部から印加される時変磁場からの誘導によってＡＣ電流を捕捉することができる回路供給コイルを備え、その供給コイルはＤＣ電流又は電圧を与えるためのＡＣ−ＤＣコンバータに、好ましくは、スイッチに、又はインプラントの他の電子構成要素に結合される。
【０１２０】
好ましい実施形態では、インプラントは、別々に閉じ、及び／又は開くことができる、ソース電気回路と加熱電気回路とを備え、ソース電気回路は、ピックアップループ内の誘導ＡＣ電流からＤＣ電圧及び／又は電流出力を与えるように構成される。好ましくは、ＤＣ出力は、スイッチにエネルギを与えるためにスイッチに接続される。好ましくは、加熱電気回路は、スイッチが閉じられるときに抵抗加熱によってヒータコイルを加熱するように構成され、それにより、ヒータコイルを通って加熱電流が流れることができるようにする。
【０１２１】
好ましい実施形態では、ピックアップコイル及びヒータコイルは、スイッチが閉じられるとき、直列に接続され、それにより、ピックアップコイルによる誘導によって捕捉された電流がヒータコイルを通って流れることができるようにし、それにより、抵抗加熱を通して加熱コイルを加熱する。
【０１２２】
好ましくは、ＡＣ電流を含む加熱電流は、スイッチが閉じられた場合に、ピックアップコイル内で誘導され、ヒータコイルに伝達される場合があり、及び／又はＡＣ電流は、外部発電機のような外部エネルギ供給手段によってヒータコイル内に誘導される場合がある。加熱電流は、ＤＣ電流、例えば、ＡＣ−ＤＣコンバータに結合される供給コイルによって与えられるようなＤＣ電流を含むことができる。
【０１２３】
好ましい実施形態では、インプラントは少なくとも部分的に自己拡張型である。好ましい実施形態では、インプラントは、腎動脈の中に埋め込むために円錐形の形状を有する。
【０１２４】
好ましくは、ピックアップコイルは、１０ｍｍより長く、より好ましくは１２ｍｍより長く、更に好ましくは１４ｍｍより長く、更に好ましくは１５ｍｍより長く、更に好ましくは１６ｍｍより長く、更に好ましくは１７ｍｍより長く、更に好ましくは１８ｍｍより長く、更に好ましくは１９ｍｍより長く、最も好ましくは２０ｍｍより長く、かつ９５ｍｍより短く、より好ましくは９０ｍｍより短く、更に好ましくは８５ｍｍより短く、更に好ましくは８０ｍｍより短く、更に好ましくは７５ｍｍより短く、更に好ましくは７０ｍｍより短く、更に好ましくは６５ｍｍより短く、更に好ましくは６０ｍｍより短く、更に好ましくは５５ｍｍより短く、最も好ましくは５０ｍｍより短い長さを含む。
【０１２５】
好ましくは、ピックアップコイルは、インプラントが拡張位置にあるときに、１０ｍｍより長く、より好ましくは１２ｍｍより長く、更に好ましくは１５ｍｍより長く、更に好ましくは１８ｍｍより長く、更に好ましくは２０ｍｍより長く、更に好ましくは２２ｍｍより長く、更に好ましくは２４ｍｍより長く、更に好ましくは２６ｍｍより長く、最も好ましくは２８ｍｍより長く、かつ７０ｍｍより短く、より好ましくは６５ｍｍより短く、更に好ましくは６０ｍｍより短く、更に好ましくは５０ｍｍより短く、更に好ましくは４０ｍｍより短く、更に好ましくは３５ｍｍより短く、更に好ましくは３０ｍｍより短く、更に好ましくは２５ｍｍより短く、最も好ましくは２０ｍｍより短い最大直径を含む。
【０１２６】
好ましくは、ヒータコイルは、１ｍｍより長く、より好ましくは２ｍｍより長く、更に好ましくは３ｍｍより長く、更に好ましくは４ｍｍより長く、更に好ましくは５ｍｍより長く、最も好ましくは６ｍｍより長く、かつ３０ｍｍより短く、より好ましくは２７ｍｍより短く、更に好ましくは２５ｍｍより短く、更に好ましくは２４ｍｍより短く、更に好ましくは２２ｍｍより短く、最も好ましくは２０ｍｍより短い長さを含む。
【０１２７】
好ましくは、ヒータコイルは、インプラントが拡張位置にあるときに、２ｍｍより長く、より好ましくは４ｍｍより長く、更に好ましくは６ｍｍより長く、更に好ましくは８ｍｍより長く、更に好ましくは１０ｍｍより長く、更に好ましくは１２ｍｍより長く、更に好ましくは１３ｍｍより長く、更に好ましくは１４ｍｍより長く、最も好ましくは１５ｍｍより長く、かつ９０ｍｍより短く、より好ましくは８０ｍｍより短い、更に好ましくは７０ｍｍより短く、更に好ましくは６０ｍｍより短く、最も好ましくは５０ｍｍより短い最大直径を含む。
【０１２８】
好ましくは、インプラントは、ピックアップコイルとヒータコイルとの間に或る距離を含み、その距離は、１ｍｍより長く、より好ましくは３ｍｍより長く、更に好ましくは５ｍｍより長く、更に好ましくは６ｍｍより長く、更に好ましくは７ｍｍより長く、更に好ましくは８ｍｍより長く、更に好ましくは９ｍｍより長く、更に好ましくは１０ｍｍより長く、最も好ましくは１２ｍｍより長く、かつ８０ｍｍより短く、より好ましくは７０ｍｍより短く、更に好ましくは６０ｍｍより短く、更に好ましくは５０ｍｍより短く、最も好ましくは４０ｍｍより短い。
【０１２９】
本発明は加熱による焼灼によって腎動脈交感神経シグナルを遮断することにより動脈性高血圧を処置するシステムを更に提供し、そのシステムは、本文において記述されたようなピックアップコイル、ヒータコイル及び温度制御式スイッチを備える電気回路を備えるインプラントと、インプラント装置の位置において時変磁場を生成する磁場発生器とを備え、好ましくは、磁場発生器は、該発生器によって生成された磁場の向きを変更する方向付け手段を備える。ここで、「磁場の向きを変更すること」は、時変磁場の極性、及び／又は付随する電磁波の伝搬方向を変更することを指している。方向付け手段を用いることによって、発生器は、ピックアップコイルの長軸に沿って最大に時間的に変化する磁場を与えるように構成することができ、それにより、ピックアップコイル内に電流を効率的に誘導することができる。方向付け手段は、Ｕ字形電磁石のような、可動、及び／又は回転可能アーム又はアンテナ状構造を備えることができる。好ましくは、そのシステムは本明細書において先に開示されたような２つのインプラントを備える。
【０１３０】
類似の態様では、本発明は、加熱による焼灼によって腎動脈交感神経シグナルを遮断することにより動脈性高血圧を処置するシステムであって、
温度依存性ＬＣ回路を備える、本明細書で開示したインプラントであって、前記ＬＣ回路は、温度依存性である共振周波数を含む、インプラントと、
前記インプラント装置の位置において時変磁場を生成する磁場発生器と、
前記ＬＣ回路の前記共振周波数を測定するように構成され、かつ測定された共振周波数をインプラント温度に関連付けるように構成される温度測定装置と、
温度制御手段であって、
前記温度測定装置から前記インプラント温度を受信し、
前記インプラント温度を所定の焼灼温度と比較し、
前記比較に基づいて前記磁場発生器によって生成される前記時変磁場を制御する、
ように構成される、温度制御手段と、
を備える、システムを提供する。
【０１３１】
好ましくは、そのシステムは本明細において先に開示されたような２つのインプラントを備える。
【０１３２】
更なる態様では、本発明は、１又は複数の腎動脈内壁上の実質的に完全な環状バンド又はらせん状バンドの焼灼によって腎動脈交感神経シグナルを遮断することにより動脈性高血圧を伴う患者を治療する方法であって、
１又は複数のインプラント装置を、シース及びガイドワイヤによって１又は複数の腎動脈内に埋め込むステップであって、上記インプラント装置の各々がそれらの長さの少なくとも一部分に沿って焼灼領域を備え、上記焼灼領域が上記腎動脈と表面接触するように適合され、上記焼灼領域が少なくとも１つの実質的に完全な環状バンド又はらせん状バンドの範囲を定め、上記インプラント装置にエネルギを印加することによって上記腎動脈内のシグナル遮断経路を焼灼するのに有効である、ステップと、
シース及びガイドワイヤを引き戻すステップと、
後に、インプラント装置から空間的に分離された外部エネルギ供給手段によって１又は複数のインプラント装置の焼灼領域を加熱するステップと、
を含む、方法を提供する。
【０１３３】
関連の態様では、本発明は、加熱による焼灼によって腎動脈交感神経シグナルを遮断することにより動脈性高血圧を処置する方法であって、
１つ又は複数の腎動脈内に、本明細書で開示したインプラントを１つ又は複数埋め込むステップであって、このインプラントは好ましくは、ピックアップコイルと、ヒータコイルと、温度制御スイッチ又は好ましくは温度依存性ＬＣ回路を備え、前記ＬＣ回路は、温度依存性である共振周波数を含む、ステップと、
前記インプラントの位置において時変磁場を印加するステップであって、それにより、１つ又は複数の前記インプラントを所定の焼灼温度まで加熱する、ステップと、
を含む、方法を提供する。
【０１３４】
上記方法において、インプラント装置の加熱は外科手術の後に行うことが強調される。これにより加熱工程を容易にし、患者の快適性を改善する。
【０１３５】
類似の態様では、本発明は、１又は２以上の血管内への埋め込みに好適な１又は２以上のインプラント装置を加熱する方法であって、
後にシース及びガイドワイヤによって上記血管内に上記インプラント装置を設置するステップであって、上記インプラント装置の各々がそれらの長さの少なくとも一部分に沿って焼灼領域を備え、上記焼灼領域が少なくとも１つの実質的に完全な環状バンド又は実質的にらせん状のバンドの範囲を定め、上記インプラント装置へのエネルギ印加による上記血管内のシグナル遮断経路の焼灼に上記インプラント装置が有効である、ステップと、
シース及びガイドワイヤを引き戻すステップと、
上記インプラント装置から空間的に分離された外部エネルギ供給手段によって、上記インプラント装置の焼灼領域を加熱するステップと、
を含み、
上記シース及びガイドワイヤが引き戻された後に上記加熱が行われ、上記インプラント装置の加熱が同時に行われることを特徴とする、方法を提供する。
【０１３６】
この方法の好ましい実施形態では、外部エネルギ供給手段によって１又は複数のインプラント装置の焼灼領域が加熱される前に、回復期間が観察される。さらに、この回復期間は、１又は複数のインプラント装置が身体組織によって覆われる（overgrown）ことを可能とするのに十分長期である。また、この回復期間は、インプラント装置が良好に設置され実質的に血管内で移動しないかどうかを検査するために十分長期であってもよい。
【０１３７】
待機期間を観察することの利点は多い。即ち、患者が外科手術から回復する期間を持ち、インプラント装置が良好に埋め込まれたかどうかを確認するために待機期間中に追加の検査を行うことができ、身体組織がインプラント装置を覆うことが可能となり、それによりインプラント装置と血管内壁との接触を改善し、したがって焼灼工程の効率を改善すること等が挙げられる。
【０１３８】
この方法の特に好ましい実施形態では、インプラント装置から空間的に分離された外部エネルギ供給手段によって１又は複数のインプラント装置の焼灼領域を加熱するステップは、十分に間隔のあいた時間間隔で繰り返し実施される。
【０１３９】
本発明の方法は、複数の焼灼工程が必要な場合、２回目の外科手術が必要でない、即ち、埋め込まれたインプラント装置（単数又は複数）を２回目、３回目等の焼灼工程に再利用することができるという主な利点がある。
【０１４０】
この方法のより好ましい実施形態では、本明細書において記載される１又は複数のインプラント装置が使用される。それにより、インプラント装置は、それらの形状、サイズ、材料組成、磁気特性及び熱特性等を操作することによって求められる効果を生み出すように操作され得る。
【０１４１】
この方法の更に好ましい実施形態では、本明細書に記載されるシステムが使用される。この場合、インプラント装置を外部エネルギ供給手段によって加熱することができ、インプラントの焼灼領域の高度な温度制御が達成され得る。
【０１４２】
好ましい実施形態では、少なくとも１つのインプラント装置が、腎動脈に適合した形状を備える。
【０１４３】
好ましい実施形態では、血管は１又は複数の腎動脈を含み、上記インプラント装置の焼灼領域は上記腎動脈と表面接触するように適合され、上記インプラント装置へのエネルギ印加によって上記腎動脈内のシグナル遮断経路を焼灼する少なくとも１つの実質的にらせん状バンドの範囲を定める。
【０１４４】
この方法の１つの実施形態では、例えば血管の遠位末端から近位末端へと移動する際に変動する血管の直径に関するデータを収集するために、ＣＴ又はＭＲＩ等の３Ｄスキャン技術を用いてインプラントが埋め込まれる患者の血管をスキャンする。これらのデータより、例えば、患者の２つの腎動脈の全てについてインプラントに必要とされる形状及び寸法を得ることができる。この計測は、外科的手術を必要とせずに行うことができ、それにより患者の快適性及び健康を高め、医療リスクを低減する。この計測の後、患者の血管（単数又は複数）に合うようにインプラントを特別注文することができる。特別注文されたインプラントは、標準サイズのインプラントに対して、明らかにあらゆる医療処置の成功率を高める。
【０１４５】
本発明は、本発明を更に解説する以下の非限定的な実施例により更に説明され、これは本発明の範囲の限定を意図するものではなく、そのように解釈されるべきでもない。
【実施例】
【０１４６】
図１は、円形断面（図１Ｂ）及び楕円断面（図１Ｃ）によって、本発明によるインプラント１の好ましい実施形態を表す。インプラントの実施形態を示す他の図において、断面は円形若しくは楕円のいずれでもよく、又は基本的にはそれが最良の状態で埋め込まれる血管に適した他のあらゆる形状であればよいことが明らかである。
【０１４７】
表されるインプラント１はボディ２を備え、この場合、狭化した管状のケージ形状であり、金属ワイヤ３等で製造され、腎動脈に置くために好適である。
【０１４８】
より具体的には、ボディ２はこの場合３つの円形ワイヤ、即ち第一大円形ワイヤ４、中間の第二中円形ワイヤ５、及び第三小円形ワイヤ６を具備する。
【０１４９】
しかしながら、ボディ２の外観は、３超又は未満の環を具備していてもよく、例えば２〜５、より具体的には３、４、更には５超の環を具備していてもよい。
【０１５０】
第一大円形ワイヤ４は、この場合、傾斜しているが直立したまっすぐな３つのワイヤ部分７によって中間の第二中円形ワイヤ５に連結されている。
【０１５１】
同様に、中間の第二中円形ワイヤ５は、この場合も傾斜しているが直立したまっすぐなワイヤ部分８によって第三小円形ワイヤ６に連結されている。
【０１５２】
ワイヤ部分８は、ここでは、ワイヤ部分７に対して中間位置に配置されている。
【０１５３】
その結果は、主に円錐形又は漏斗形のボディ２とも記載される狭化した環状のケージであり、少なくともボディ２が解放位置又は非圧縮位置にある場合には、互いに離れて設置される３つの円形ワイヤを具備する。
【０１５４】
一般論として、自己拡張型ボディ２は、例えば腎動脈のような静脈の解剖学的構造に適した形状を具備することが好ましい。
【０１５５】
好ましい実施形態によれば、収束する直径の別個の楕円環でボディ２が構成され、理想的には腎動脈の解剖学的構造に適合されるように、円形ワイヤが主に楕円形であってもよい。
【０１５６】
ボディ２のこれらの環は、典型的には直径３ｍｍ〜３０ｍｍであり、より具体的には５ｍｍ〜２０ｍｍ、更に具体的には９ｍｍ〜１３ｍｍの範囲である。
【０１５７】
ボディ２のこれらの環は、典型的には５ｍｍ〜５０ｍｍ、より具体的には８ｍｍ〜４０ｍｍ、更に具体的には１０ｍｍ〜３０ｍｍの範囲である。
【０１５８】
ボディ２は、使用される材料の弾性特性、及びボディ２の幾何学的形状により、自己拡張型の特性を有する。
【０１５９】
使用される金属は、優れた自己拡張型特性で知られるニチノール系であってもよい。
【０１６０】
自己拡張型ボディ２は、約１ｍｍＨｇ〜１５０ｍｍＨｇ、より具体的には３ｍｍＨｇ〜８０ｍｍＨｇ、より具体的には５ｍｍＨｇ〜６０ｍｍＨｇ、より具体的には１０ｍｍＨｇ〜４０ｍｍＨｇの圧力、即ち腎動脈の解剖学的構造を変更するために必要とされる拡張圧に等しい圧力を受けた場合に拡張を停止することが意図される。
【０１６１】
代替的に、自己拡張型ケージは、相互に連結した、個別の円形又は楕円形の環の存在が意図されるものであってもよい。環は、らせん形を作り出すように形成されてもよい。また、らせんの個々の環は、加熱又はケージからの物質の放出に際し、電気的シグナルの繰り返しに対していずれの孔も開放されたままにならないよう相互に連結される。
【０１６２】
この場合、使用される材料は、遠隔印加された交流磁場に対して反応する（例えば発熱する）タイプの材料である。
【０１６３】
ヒステリシスの原理は、ボディ２を構成する合金の吸収特性に依存してケージの金属の昇温を生じる。
【０１６４】
代替手段としては、極性を変更することによって、この磁場内に置かれる材料においてヒステリシス加熱を誘導する電磁場発生器が挙げられる。このシステムは、到達すべき及び到達することが可能な標的温度として、或る特定の材料が有しているキュリー温度（或る特定の材料をその温度まで加熱することができ、更なるエネルギ送達を行ってもそれ以上温度が変化しない）を使用することができる。例えば、ＺｎＦｅ２Ｏ４は、３０℃〜４５℃のキュリー温度を有する材料である。
【０１６５】
その構造内にＺｎＦｅ２Ｏ４を含む合金ケージは、したがって厳密に４５℃、即ち適切な焼灼の目的に望ましい標的温度付近まで加熱することができる。
【０１６６】
ケージにエネルギを送達する他の代替手段としては、磁性コアを使用する直接誘導が挙げられ、これもヒステリシス加熱を利用するがより直接的な方法によるものである。
【０１６７】
ケージにエネルギを送達する他の代替手段として、外部トリガーによる熱化学的放出システム（thermical chemical-release system）を通した電磁放射線を使用することができ、ここで化学物質は要求に応じて適切な位置でのみ放出される。
【０１６８】
電磁放射線、ヒステリシス加熱、キュリー温度への到達、直接誘導、熱／化学放出システム、機械／化学放出システム、間接誘導、ジュール加熱、音響エネルギ、機械的振動、化学放出システム等の更なる代替的なエネルギ場を印加することができることが明らかである。
【０１６９】
代替的には、ボディ２は、例えば外部エネルギ場の印加の後といった、腎動脈への誘導によってのみ放出される毒性物質を具備していてもよく、この毒性物質はその後制限された壊死性の損傷／神経毒性による損傷を生じる。
【０１７０】
図２において、本発明によるインプラント１の代替的な実施形態が表される。
【０１７１】
ボディは、複数の相互連結、交差、及び層を有する編み込まれた金属ワイヤ９から構成される。この繰り返しは、腎血管壁又はその他の壁との多数の連結を可能にする。
【０１７２】
図３において、インプラント１として、長軸に沿って徐々に直径が小さくなるらせん型ワイヤ１０が意図される
【０１７３】
ワインディング１０Ａ〜１０Ｄは、この場合４つであり、架橋直立ワイヤ部分８により互いに連結されている。
【０１７４】
したがって、この実施形態は、個別の円形ワイヤ４〜６に代えて単一の、即ち連続したらせん形ワイヤを使用する点で、図１に表される実施形態と異なる。
【０１７５】
架橋直立ワイヤ部分８は、インプラント１において示される構造及び強度とは別個のものであり、また、閉ループを提供するものである。
【０１７６】
実際に、個別のワインディング１０Ａ〜１０Ｄは、一旦装置が解放されれば、腎動脈での完全な円形の損傷を確実にするため、なおも相互に連結されている。
【０１７７】
図４において、インプラントは、最終的には金属ケージを形成するように外側に曲がった縦型金属ビーズ１１を示し、さらにそれらの数個の相互連結を示す。
【０１７８】
本発明によるインプラント１は、交流磁場に特異的に反応する任意の異なる強磁性特性及び／又は吸収係数を有する異なる合金で製造される部分を備えてもよい。
【０１７９】
代替的には、インプラント１の基本構造は、変化する特性を有するコーティング部分を具備し得る１つの同一の材料で製造されていてもよい。
【０１８０】
図５に説明される実施形態は、長軸に沿って徐々に直径が小さくなるらせん形ワイヤ１０として意図されたインプラントを示すが、図３に表される実施形態とは対照的に、この場合５個のワインディング１０Ａ〜１０Ｅが、最大ワインディング１０Ａから最少ワインディング１０Ｅにまで及ぶ架橋直立ワイヤ１２によって互いに連結されている。
【０１８１】
インプラント１の最大ワインディング１０Ａは、自己拡張特性を有する合金で構成され、最少の強磁性特性を有する金属層で覆われている（１００）。
【０１８２】
次のワインディング１０Ｂは、同一の自己拡張型合金で構成され、ヒステリシス現象の間のエネルギ吸収率がより高い金属層で覆われ、したがって、異なる熱的加熱特性を現わす交流磁場（alternating magnetic field）を有する（２００）。
【０１８３】
最大ワインディング１０Ａから最も遠位のワインディング１０Ｄ及び１０Ｅは、腎動脈の一部分に配置され、ヒステリシス現象の間更に高いエネルギ吸収率を有する材料の層を具備している（４００）。
【０１８４】
インプラント１の他の実施形態によれば、その一部が図６に概略的に表され、インプラント１のボディ２を構成するワイヤは、この場合、異なる合金１５、１６及び１７で作製された３つの異なる層で作られている。
【０１８５】
これらの異なる合金は、互いに接触しており、印加される異なる磁場に依存して、異なる特性を呈する。
【０１８６】
代替的に、又は上記若しくは他の特徴と組み合わせて、１又は複数の層は、必要な場所を直接加熱するため、また血液又は組織の望ましくない加熱を防止するために一部を隔離するように、高い熱的隔離特性を有していてもよいことが明らかである。
【０１８７】
インプラント１の他の実施形態によれば、その一部は、図７に概略的に表され、ボディ２は、（内腔側１４に対して）物質が供給される反管腔側１３に微細孔１８を具備する。
【０１８８】
このような物質は例えば下記物質の１又は複数の選択又は組成物である：
エタノール；
テトロドトキシン及びバトラコトシキン；
モーロトキシン、アジトキシン、カリブドトキシン、マーガトキシン、スロトキシン、スキラトキシン又はヘフトキシン；
カルシセプチン、タイカトキシン、カルシクルジン、又はＰｈＴｘ３；
ボツリヌストキシド；
サイトカラシンＤ、ラパマイシン、シロリムス、ゾタロリムス、エベロリムス、パクリタキセル；
グルタメート；
イソキノリン；
Ｎ−メチル−（Ｒ）−サルソリノール；
β−カルボリン誘導体。
【０１８９】
微細孔１８は、例えばガイドカテーテルシステムにおける供給の前に、ボディが共に巻きつく場合に閉鎖され、そして目的部位への放出に際して膨張すると、ケージの金属アーム内の物質が放出され得るように、これらの微細孔１８が開放される。
【０１９０】
インプラント１の他の実施形態によれば、その一部は概略的に図８に表され、ボディ２は、体温が活性化を引き起こすように３５℃を超える温度でのみ活性化する熱活性コーティング１９で覆われている。
【０１９１】
代替的には、エネルギ場の外部印加が活性化を引き起こすように４５℃を超える温度でのみ活性化される熱活性コーティング１９を具備していてもよい。
【０１９２】
代替的には、絶縁材料４４が、血管壁の一部又は血液といった加熱されないことが好ましい身体部位と接触するインプラントの部位に備えられてもよい。これにより、加熱されるインプラントの一部を、例えば血液から熱絶縁する。
【０１９３】
例えば、エネルギ場は、ヒステリシス効果によってインプラント１のボディ２を加熱する、遠隔印加される交流磁場であってもよい。
【０１９４】
上記活性化温度において、コーティング１９は吸収され、コーティング２０の下に存在する有効成分が血管壁又は動脈壁中へと放出される。
【０１９５】
ここで留意すべきは、伸長された形状及び／又は供給される拡張力はインプラント１の定着手段と見なされ得ることである。
【０１９６】
代替的には、鉤又はかかり等２９が、図１１に示されるように、インプラント１の外向き部分に備えられ、一旦設置されたインプラント１の定着を保証する。
【０１９７】
更なる他の実施形態によれば、血管に適合する外環若しくは他のケージ構造、又はケージ全体には、ケージの非可動性を強固なものとし、インプラントの固定された位置を確定し、埋め込み後にインプラントが動く可能性を低減する構造を備え付けてもよい。
【０１９８】
インプラントを設置する方法は簡便であり、以下に説明する方法により行われ得る。
【０１９９】
既知の慣例によれば、ガイドワイヤ３１を有するカテーテル３０が、インプラント１が留置される場所まで導入される。これは、図１２及び図１３において概略的に示される。
【０２００】
インプラントを所定の場所に留置すると同時にカテーテルを引き戻すと、インプラント１が拡張する。
【０２０１】
動脈構造又は静脈構造に一致し、そして任意に圧迫するように、インプラント１の形状及び／又は弾性特性がうまく適合されると、インプラント１は安全な自己定着方式で留置される。
【０２０２】
カテーテルが完全に引き戻されると、インプラント１が完全に解放される。
【０２０３】
代替的には、既知のバルーン拡張を適用することができる。
【０２０４】
インプラント１の起動可能部分を起動するために、外部エネルギ場の印加前に適切な期間を待ってもよい。
【０２０５】
新たな侵襲的な外科手術を必要とせず、適切なエネルギ場を単に印加することによる様々な連続した処理を検討することができ、これが本発明によるインプラント及びシステムの主な利点である。
【０２０６】
さらに、インプラント１が変化する部分構造を具備する場合、各々が外部から印加されるエネルギ場に対して独自の反応を有し、例えば強度を徐々に高めるような、変動する処理が検討され得る。
【０２０７】
例えば、各部分は、遠隔印加される固有の周波数を特徴とする交流磁場によって作動され得る。
【０２０８】
損傷に言及する場合、損傷は外壁まで達する貫壁性の損傷であってもよく、不連続な損傷又は複合化された部分的な損傷とは対照的に、損傷は連続的であってもよいと解釈されることが明らかである。
【０２０９】
本発明は、実施例によって説明され、添付の図面において表される実施形態に何ら限定されるものではなく、むしろ、本発明によるそのようなインプラント、インプラントのシステム、動脈構造及び静脈構造の治療用励起装置は、本発明の範囲内である限り、あらゆる種類の形状及び寸法で製造されてもよい。
【０２１０】
図９は、円形に編み込まれたインプラント２１を示し、ここで、１つの環状領域２２は固有のキュリー温度を有する合金を含み、２つ目の環状領域２３は別の固有のキュリー温度を有する合金を含む。
【０２１１】
図１０は、じょうご型に編み込まれたインプラント２４を示し、ここで１つの環状領域２５は固有のキュリー温度を有する合金を含み、２つ目の環状領域２６は別の固有のキュリー温度を有する合金を含み、３つ目の環状領域２７は更に別の固有のキュリー温度を有する合金を含む。
【０２１２】
図１１は、小さいかかり形の定着手段２９を有する、じょうご型に編み込まれたインプラント２８を示す。
【０２１３】
図１３は、どのようにしてカテーテルチップが、挿入静脈又は動脈を通り、例えば腎動脈３８へとガイドされ得るのかを示している。
【０２１４】
図１４は、焼灼工程４３の間患者を治療するために使用され得る、外部エネルギ供給手段４２の実施形態を表す。
【０２１５】
図１５は、場所４０におけるインプラントを示し、血管の円錐切断面における焼灼領域４１を示す。
【０２１６】
図１８は、砂時計型のインプラント４５の他の実施形態を示し、直径が小さくなる中間領域近傍において、加熱環４６がインプラントの砂時計型部分の周囲に取り付けられる。加熱環は、加熱環が加熱された場合に血流に熱がなるべく輸送されないよう、熱絶縁様式により砂時計型部分に取り付けられる。さらに、砂時計型部分は血液の流れにくい組織によって覆われ、インプラント末端４７及び４８において、又はその近傍で血管内へと固定されてもよいことから、加熱環はこの血流から完全に隔離されることが意図される。
【０２１７】
図１９は、或る特定の温度、より具体的には最適な焼灼が達成されるように到達する温度、即ち４０℃〜８０℃、より具体的には４５℃〜６０℃において、生じる回路が遮断されるように、フューズを備えたインプラントの実施形態を示す。これは、インプラント、より具体的には金属製インプラント、より具体的にはニチノールインプラントが交流磁場に持ち込まれた場合、金属インプラントそれ自身によって電流を生じ、したがってそれ自身によって促進加熱を生じる（誘導加熱及びジュール加熱）という現象に基づく。この現象は、インプラントの非常に迅速な加熱をもたらし、インプラントを通して流れる可能性のある電流を遮断することによってこの加熱を停止することができる。この電流の停止は、金属製インプラント内に据え付けられたフューズによって起こり、フューズは、例えば或る特定の温度を超えて加熱された場合に切断する抵抗として存在する。この場合、フューズは、４５℃〜６０℃、より具体的には５０℃〜５５℃の温度を超える更なる加熱を停止する。図１９ａは、フューズの詳細な外観を示す。
【０２１８】
異なる形態において、図２０に示されるように、金属製インプラントは、装置の加熱に際して異なる金属部分が他の形態をとり、それによってインプラントを通ることが可能な電流を遮断するように、形状記憶合金で構成されてもよい。スイッチ又はフューズのオン位置及びオフ位置の詳細が図２０ａ及び図２０ｂにそれぞれ示される。この異なる（即ち開放）形態は、その「記憶形状」に戻るように、潜在的に金属本来の形状からなる。これは「形状記憶金属」と呼ばれる。
【０２１９】
図２１に示され、図２１ａに詳細が示される更に異なる形態において、インプラントは２種の異なる材料からなり、加熱に際して、インプラントを流れる電流が停止するように、２種の異なる金属間の結合が遮断される。
【０２２０】
本出願の他の追加事項は、加熱を一方向とする必要があることである。血液は２つの理由により加熱から隔離する必要がある。第一に、血液中のタンパク質が変性し、血栓を形成し得るため血液を加熱するべきではなく、第二に、血液はインプラントから過剰に熱を取り去る可能性がある巨大な放熱器であることから、インプラントの焼灼領域が所望の温度になるまで過剰なエネルギが必要となるからである。したがってコーティングは、インプラントの周囲に広範囲に亘って形成されるが、インプラントが加熱された場合に熱が血流へと放散されないように、図２２において説明されるように専ら内腔側に形成される。
【０２２１】
図２３は、インプラント装置（５５）が内蔵熱スイッチ（５４）を設けられる本発明の概念を示す。これにより、インプラントは、電磁石若しくは電磁コイル又はアンテナ（５１）によって生成することができるような時変磁場φ、例えば、無線周波数磁場を印加することによって起動することができる。スイッチ（５４）が閉じられる場合には、時変磁場φは、ピックアップコイル（５３）及び加熱コイル（５２）を通して電気回路内に電流を誘導することができる。スイッチが閉じられるか、開いているかは、スイッチの位置における温度、又は好ましくはサーモスタットを介してスイッチに取り付けられる温度センサの位置における温度による。
【０２２２】
図２４は、血管内で拡張位置にあるインプラントの寸法を示す。ここでは、血管（６５）は通常、５ｍｍ〜５０ｍｍ幅であり、例えば、直径２０ｍｍである。ヒータコイル６２は約２０ｍｍ長とすることができ、一方、ピックアップコイル（６３）は、２０ｍｍより長くすることができ、好ましくは、２０ｍｍより長い。図２４の熱スイッチ（６４）は、ヒータコイル（６２）付近に位置決めされ、ヒータコイルにおける又はヒータコイル付近の温度に応じて開閉される。ヒータコイルは、ヒータコイル長にわたって血管の円周焼灼領域に対する。
【０２２３】
図２５ａ〜図２５ｇは、本発明の異なる実施形態を示しており、コイルの形状並びに絶対及び関連サイズが実施形態によって異なる場合がある。ヒータコイル（７２）及びピックアップコイル（７３）は明確に特定することができ、提示されるようなピックアップコイル（７３）は、大量の巻線を備え、そのインダクタンスを高める。プリント回路基板に取り付けられ、被覆された、図２５ａ〜図２５ｅの熱スイッチ（７４）は、ヒータコイル（７２）及びピックアップコイル（７３）に結合される。図２５ｄ〜図２５ｇでは、熱スイッチ及び／又は供給回路コイルを含む場合もある、１つ又は複数の電子回路を備えるｐｃｂ（７５）が、ピックアップコイル（図２５ｆ〜図２５ｇ）又はスイッチ（図２５ｄ〜図２５ｅ）に結合される。コイルの形状は、特定の血管、例えば、円筒形の静脈又は動脈（図２５ａ）、又は円錐形の静脈若しくは動脈（図２５ｂ〜図２５ｇ）に収まるように構成することができる。詳細には、腎動脈の場合、動脈口部内に埋め込むための円錐形のヒータコイルが好ましい。
【０２２４】
インプラントを起動すると、ヒータコイル（７６）の巻線が、血管の壁（７８）内に温度プロファイル（７７）を誘発する。これが図２６に示されており、図２６には、熱が主に巻線付近に蓄積されるが、血管（７９）の外側も高い温度まで加熱できることが可能であることが例示される。血管の適切なモデル化及びその構成の試験によって、無傷のままにすべきである組織に無用な損傷を与えることなく、インプラントが血管の内壁上のシグナル遮断経路を焼灼する最適な温度を設定できるようになる。
【０２２５】
例えば、基本的に円筒形のインプラントの場合に、ＰＴＣ（８０）すなわちサーミスタスイッチを備える更なる実施形態が図２７ａ及び図２７ｂに示される。
【０２２６】
幾つかの実施形態では、動作するためにＤＣ電流又は電圧を必要とする電気的構成要素を使用する必要があるか、又は使用することが望ましい。そのような実施形態では、インプラントの回路の少なくとも一部内に誘導によって流れるＡＣ電流をＤＣ電流に変換するために、インプラントはＡＣ−ＤＣコンバータを備える必要がある。このコンバータは、ピックアップコイルから、又は供給回路コイルからＡＣ入力電流を得ることができる。そのようなコンバータは、ｐｃｂ（８１）に取り付けるとともに、図２８に示されるようなコイルに結合することができるより大きな電子回路の一部とすることができる。
【０２２７】
図２９ａ〜図２９ｄは、本発明のインプラントの実施形態において用いることができる電子回路を示す。ヒータワイヤ又はヒータコイルを通して大きな電流が送られる場合には、ヒータコイルが熱を生成し、ヒータコイル周囲の温度が上昇する。ヒータコイルの中に電流が流れない場合には、血流内で冷えるために、温度が降下する。焼灼の場合、約５５℃の目標温度に達し、或る長さの時間にわたって維持することが必要な場合がある。デジタルサーモスタットＰＣＢ（ＩＣ１）が、温度センサによって温度を測定し、ヒータコイルに流れる大きな電流をスイッチ（ＩＣ３）によってオン又はオフに切り替え、それにより、ヒータコイル周囲の温度を強制的に上昇又は降下させる。ヒータコイルは、大きなピックアップコイル内に誘導されたエネルギによって電力を供給される。制御回路は別個のコイルによって電力を供給される。
【０２２８】
温度センサは内部温度を測定し、２℃のヒステリシスループを用いて、その温度を５５℃と比較する。このチップは、測定された温度が５５℃より高い場合には高出力電圧レベル（５Ｖ）を与え、その温度が５５℃の目標温度より低い場合には低出力電圧レベル（０Ｖ）を与える。このサーモスタットチップ（ＩＣ１）を用いてスイッチ（ＩＣ３）を制御し、この場合、一体に構成されたオプトカプラを備える固体中継器（ＳＳＲ）であればピックアップコイルによって誘導された交流を切り替えることができることから、そのスイッチはＳＳＲである。このスイッチ（ＩＣ３）は、温度センサが与えることができる電流より高い電流を必要とするので（サーモスタットチップの出力電流駆動能力は非常に低い）、バッファを用いる必要がある。高いスイッチ入力電圧の結果として閉じた状態になり、低い電圧の結果として開いた状態になるので、このバッファは、大きな出力電流を有するインバータ（ＩＣ２）によって実現される。スイッチ（ＩＣ３）とインバータ（ＩＣ２）との間の、例えば、３３０オームの抵抗器（Ｒ１）は、スイッチ駆動電流を制限し、それにより、スイッチ入力を保護する。この回路（図２９ｂ）は、温度制御を与える。この回路は能動デバイスからなるので、これは、適切に給電される場合にのみ機能することができる。図２９ａの回路は、別個の回路供給コイルによって送達される入力ＡＣ電圧から安定した５Ｖの供給電圧を与える。このコイルは、電力回路のために必要とされるＡＣ電圧より低いＡＣ電圧を与える。入力ＡＣ電圧は、半波整流器（Ｄ１）によって、目標の５Ｖより高いＤＣ電圧に変換される。その後、５Ｖ線形レギュレータ（ＩＣ４）を用いて、この電圧を安定した５Ｖ電源に変換する。その設計全体にわたって見ることができるコンデンサ、例えば、１００ｎＦは、デカップリング（供給電圧の局所的な安定化）のために配置される。
【０２２９】
記号ＧＮＤ、ＶＡＣ及び５Ｖはそれぞれ、同じ名称を有する記号を結び付ける回路網を表す。これらの記号は、単なる別の接続以外に物理的意味はない。ＧＮＤは、電圧基準のための共通の記号である（全ての電圧が回路内部の何らかの点を基準にする必要がある）。これは、アース接続と間違えるべきではない。ＧＮＤは多くの場合に、非常に低いインピーダンスを有する接続であるように選択され、それゆえ、多くの場合に基準面として実現される。
【０２３０】
コネクタＣＯＮ１は、ヒータコイル（ピン１）、回路供給コイル（ピン２）及び電圧基準ＧＮＤ（ピン３）のためのインターフェースである。
【０２３１】
電気回路の別の実施形態が図２９ｃ及び図２９ｄに示される。この基板は、図２９ａ及び図２９ｂに提示される基板より小さいバージョンである。その機能は同じままであるが、より小型の構成要素を使用する。レギュレータ（ＩＣ４）は異なり、スイッチ及び抵抗器は組み合わせて、一体の構成要素（ＩＣ３）にされる。また、大きなコネクタが３つの小型のコネクタＣＯＮ１〜ＣＯＮ３に変更される。余分なコネクタＣＯＮＶＣＣ、ＣＯＮＧＮＤ及びＣＯＮＴｏｕｔを用いて、基板を、温度センサを有する小型の基板と、チップの残りの部分を有する別の基板とに分割することができる。このようにして、小さな温度センサをヒータコイルに更に近づけることができる。
【０２３２】
図２９ａ〜図２９ｄには、本発明によるインプラントの実施形態が示されており、そのインプラントは、図２９ｅに示されるように、サーモスタット、インバータ及びスイッチのような他の構成要素に、例えば、５Ｖの一定のＤＣ電圧を与えるための専用供給回路を含む別個の供給コイルを備える。本発明によるインプラントの他の実施形態では、別個の回路電力供給コイル（図２９ｆ）の代わりに、ピックアップコイル側にあるセンタータップを用いて、回路電力を得ることができる。これは、第３のコイルを用いるよりも、インプラント内に組み込むのが容易であると思われる。この後者の実施形態は以下の更に別の問題を提起する場合がある。センタータップはスイッチング回路内に位置する場合がある。コイルの組み合わせに大きな電流が流れている場合には、この電流は、実際にこの電流を流れるようにした外部磁場を相殺する磁場を生成する。この結果として、コイルの端子間で電圧降下が生じる。これは、閉じたスイッチの場合に、コイルの端子間の電圧を、開いたスイッチの場合よりはるかに低くできることを意味する。この電圧差によって、高い電力散逸に起因して、レギュレータが作動しなくなる可能性がある。この問題を解決するために、これを防ぐ更に別の構成要素を回路に追加する必要がある。そのような構成要素は、例えば、小型化されたチップ設計に追加することができる。
【０２３３】
図３０ａ〜図３４は、インプラントの位置に時変磁場を与えることによってインプラントにエネルギを与えるために本発明のシステム又は方法において用いることができる外部エネルギ供給手段の実施形態を示す。
【０２３４】
図３０ａ及び図３０ｂ並びに図３３及び図３４は、インプラントを埋め込まれた患者が加熱手順中に座ることができ、発生器（９１）の円弧状アーム（９０）内に時変磁場が選好的に生成される実施形態を示す。アームは、好ましくは水平軸（９２）の回りで回転することができ、また、患者の椅子（９３）も、好ましくは垂直軸の回りで回転することができ、発生器の磁場とインプラント内に誘導された磁場との間の最適な誘導結合に達するように上下に動くことができる。発生器の最適な位置は、患者と、患者内の処置される血管の向きとによって決まる場合がある。それゆえ、これらの図に示されるような発生器は、磁場の向き及び大きさの双方を時間とともに変更することができ、本明細書において提示されるシステム及び方法において特に好ましい。
【０２３５】
図３１は、治療のために患者が横になることができる台（９４）の周囲において大きな磁場発生器（９１）を使用できることを示す。この台は発生器の中を水平に移動することができる。
【０２３６】
図３２ａ及び図３２ｂは、異なる向きにおいて磁場を生成することができる磁場発生器（９１）を示しており、患者に応じて、インプラント内に電流を誘導するのに最適な向きに合わせることができる。
【０２３７】
本発明は、上述のあらゆる形態の具現化に限定されるものではなく、添付の特許請求の範囲の再評価を要することなく提示された製作例に変更が加えられ得るであろう。例えば、本発明は、腎動脈に関して記載されているが、本発明は例えば他の血管等に適用され得ることが明らかである。
【０２３８】
本発明は以下のものに関するが、それらに限定されない：
１．  １又は２以上の血管内への埋め込みに好適な１又は２以上のインプラント装置を加熱する方法であって、
後にシース及びガイドワイヤによって上記血管内に上記インプラント装置を設置するステップであって、該インプラント装置の各々がそれらの長さの少なくとも一部分に沿って焼灼領域を備え、該焼灼領域が少なくとも１つの実質的に完全な環状バンド又は実質的にらせん状のバンドの範囲を定め、上記インプラント装置へのエネルギ印加による上記血管内のシグナル遮断経路の焼灼に該インプラント装置が有効である、ステップと、
上記シース及びガイドワイヤを引き戻すステップと、
上記インプラント装置から空間的に分離された外部エネルギ供給手段によって、該インプラント装置の焼灼領域を加熱するステップと、
を含み、
上記シース及びガイドワイヤが引き戻された後に上記加熱が行われ、上記インプラント装置の加熱が同時に行われることを特徴とする、方法。
２．  上記インプラント装置の各々の少なくとも一部が、強磁性材料、フェリ磁性材料、又は反強磁性材料等の磁気ヒステリシスを示す少なくとも１種の材料から製造される、項目１に記載の方法。
３．  上記インプラント装置が含鉄流体を備える、項目２に記載の方法。
４．  上記インプラント装置の位置で時変磁場を作り出す外部エネルギ供給手段によって加熱が行われる、項目１〜３のいずれか一項に記載の方法。
５．  上記インプラント装置の少なくとも１つが、体温が活性化を引き起こすように、活性化温度が３５℃〜３７℃の熱活性コーティングを備える、項目１〜４のいずれか一項に記載の方法。
６．  上記インプラント装置の少なくとも１つが、上記外部エネルギ供給手段によって上記焼灼領域が加熱された場合のみ活性化が引き起こされるように、活性化温度が４５℃より高い熱活性コーティングを備える、項目１〜４のいずれか一項に記載の方法。
７．  上記インプラント装置が、制限された壊死性の損傷及び／又は神経毒性による損傷を生じることが可能な物質を備える、項目１〜６のいずれか一項に記載の方法。
８．  上記インプラント装置の少なくとも１つが、上記物質で満たされ、該インプラントが加熱された場合に開放する腔を備える、項目６に記載の方法。
９．  例えば、二成分性神経毒を送達するように、少なくとも２種の物質が放出前に混合される、項目６〜８のいずれか一項に記載の方法。
１０．  上記物質が下記物質の１又は複数の選択又は組成物である、項目６〜９のいずれか一項に記載の方法：
エタノール；
テトロドトキシン及びバトラコトシキン；
モーロトキシン、アジトキシン、カリブドトキシン、マーガトキシン、スロトキシン、スキラトキシン又はヘフトキシン；
カルシセプチン、タイカトキシン、カルシクルジン、又はＰｈＴｘ３；
ボツリヌストキシド；
サイトカラシンＤ、ラパマイシン、シロリムス、ゾタロリムス、エベロリムス、パクリタキセル；
グルタメート；
イソキノリン；
Ｎ−メチル−（Ｒ）−サルソリノール；
β−カルボリン誘導体。
１１．  インプラント装置の少なくとも１つが、腎動脈に適合した形状を備える、項目１〜１０のいずれか一項に記載の方法。
１２．  上記血管が１又は複数の腎動脈を含み、上記インプラント装置の焼灼領域が、上記腎動脈と表面接触するように適合され、上記インプラント装置へのエネルギ印加によって上記腎動脈内のシグナル遮断経路を焼灼するように少なくとも１つの実質的にらせん状バンドの範囲を定めている、項目１〜１１のいずれか一項に記載の方法。
１３．  １又は複数の上記インプラント装置の焼灼領域を外部エネルギ供給手段によって加熱する前に回復期間を観察し、該回復期間が該インプラント装置を血管壁内に組み込むことができるように十分長期である、項目１〜１２のいずれか一項に記載の方法。
１４．  上記インプラント装置から空間的に分離された外部エネルギ供給手段によって該インプラント装置の焼灼領域を加熱するステップが、十分に間隔のあいた時間間隔で反復的に実施される、項目１〜１３のいずれか一項に記載の方法。
１５．  血管内へ埋め込まれ、展開されるように適合された自己拡張型インプラント装置であって、該インプラントがその長さの少なくとも一部分に沿って焼灼領域を備え、該焼灼領域が血管と表面接触し、かつ少なくとも１つの実質的に完全な環状バンド又はらせん状のバンドの範囲を定めるように適合されており、該インプラント装置へのエネルギ印加による血管内のシグナル遮断経路の焼灼に上記焼灼領域が有効である、自己拡張型インプラント装置。
１６．  上記焼灼領域が、強磁性材料、フェリ磁性材料、又は反強磁性材料等の磁気ヒステリシスを示す少なくとも１種の材料を含む、項目１５に記載のインプラント。
１７．  上記インプラント装置が含鉄流体を備える、項目１６に記載のインプラント。
１８．  体温が活性化を引き起こすように、活性化温度が３５℃〜３７℃の熱活性コーティングを備える、項目１５〜１７のいずれか一項に記載のインプラント。
１９．  上記外部エネルギ供給手段によって上記焼灼領域が加熱された場合のみ活性化が引き起こされるように、活性化温度が４５℃より高い熱活性コーティングを備える、項目１５〜１７のいずれか一項に記載のインプラント。
２０．  制限された壊死性の損傷及び／又は神経毒性による損傷を生み出すことが可能な物質を備える、項目１５〜１９のいずれか一項に記載のインプラント。
２１．  上記物質で満たされ、上記インプラントが加熱された場合に開放する腔を備える、項目２０に記載のインプラント。
２２．  例えば、二成分性神経毒を送達するように、上記物質が放出前に混合される、項目２０又は２１に記載のインプラント。
２３．  上記物質が下記物質の１又は複数の選択又は組成物である、項目２０〜２２のいずれか一項に記載のインプラント：
エタノール；
テトロドトキシン及びバトラコトシキン；
モーロトキシン、アジトキシン、カリブドトキシン、マーガトキシン、スロトキシン、スキラトキシン又はヘフトキシン；
カルシセプチン、タイカトキシン、カルシクルジン、又はＰｈＴｘ３；
ボツリヌストキシド；
サイトカラシンＤ、ラパマイシン、シロリムス、ゾタロリムス、エベロリムス、パクリタキセル；
グルタメート；
イソキノリン；
Ｎ−メチル−（Ｒ）−サルソリノール；
β−カルボリン誘導体。
２４．  腎動脈に適合した形状を備える、項目１５〜２３のいずれか一項に記載のインプラント。
２５．  上記インプラント装置の焼灼領域が、上記腎動脈と表面接触し、かつ少なくとも１つの実質的にらせん状バンドの範囲を定めるように適合されている、項目２４に記載のインプラント。
２６．  最大周長及び最少周長、並びに最大周長と最少周長との比を備え、該比が３より大きく７未満である、項目１５〜２５のいずれか一項に記載のインプラント。
２７．  上記インプラントの長手方向に沿って変化する周長を備え、該周長が少なくとも３６ｍｍ、最大２５０ｍｍの間で変化する、項目１５〜２６のいずれか一項に記載のインプラント。
２８．  直径が少なくとも５ｍｍ、最大１０ｍｍである原則的に円筒状の形状を備える、項目１５〜２５のいずれか一項に記載のインプラント。
２９．  遠位部分及び近位部分を備え、上記焼灼領域が、該近位部分からインプラントの全長の５０％以内に配置される、項目１５〜２８のいずれか一項に記載のインプラント。
３０．  遠位部分及び近位部分を備え、上記焼灼領域が該近位部分から１５ｍｍ以内に配置される、項目１５〜２９のいずれか一項に記載のインプラント。
３１．  遠位部分及び近位部分を備え、定着具の過熱を防止する熱絶縁的な連結を介して上記インプラントの焼灼領域に連結された定着具を備え、該定着具が上記遠位部分に連結されている、項目１５〜３０のいずれか一項に記載のインプラント。
３２．  項目１５〜３１のいずれか一項に記載のインプラント装置の１、２、３、４又はそれ以上を備えたシステム。
３３．  上記インプラント装置から空間的に分離され、該インプラント装置の焼灼領域の温度を焼灼温度にまで昇温させるために上記インプラント装置にエネルギを供給することが可能な外部エネルギ供給手段を備える、項目３２に記載のシステム。
３４．  項目３２又は３３に記載のシステムであって、
１又は複数のインプラント装置を１又は複数の血管の所望の位置又はその近傍に輸送及び送達するために好適なシースと、
１又は複数のインプラントを有するシースを１又は複数の血管の所望の位置へと順次ガイドするために好適なガイドワイヤと、
を備える、システム。
３５．  項目１５〜３４のいずれか一項に記載の１又は２のインプラント装置を備え、各インプラント装置が対応する腎動脈に適合されている、項目３２〜３４のいずれか一項に記載のシステム。
【図１】
0006415655.tif 000002
【図２】
0006415655.tif 000003
【図３】
0006415655.tif 000004
【図４】
0006415655.tif 000005
【図５】
0006415655.tif 000006
【図６】
0006415655.tif 000007
【図７】
0006415655.tif 000008
【図８】
0006415655.tif 000009
【図９】
0006415655.tif 000010
【図１０】
0006415655.tif 000011
【図１１】
0006415655.tif 000012
【図１２】
0006415655.tif 000013
【図１３】
0006415655.tif 000014
【図１４】
0006415655.tif 000015
【図１５】
0006415655.tif 000016
【図１６】
0006415655.tif 000017
【図１７】
0006415655.tif 000018
【図１８】
0006415655.tif 000019
【図１９】
0006415655.tif 000020
【図２０】
0006415655.tif 000021
【図２１】
0006415655.tif 000022
【図２２】
0006415655.tif 000023
【図２３】
0006415655.tif 000024
【図２４】
0006415655.tif 000025
【図２５−１】
0006415655.tif 000026
【図２５−２】
0006415655.tif 000027
【図２５−３】
0006415655.tif 000028
【図２５−４】
0006415655.tif 000029
【図２６】
0006415655.tif 000030
【図２７】
0006415655.tif 000031
【図２８】
0006415655.tif 000032
【図２９−１】
0006415655.tif 000033
【図２９−２】
0006415655.tif 000034
【図２９−３】
0006415655.tif 000035
【図３０】
0006415655.tif 000036
【図３１】
0006415655.tif 000037
【図３２】
0006415655.tif 000038
【図３３】
0006415655.tif 000039
【図３４】
0006415655.tif 000040